(57)【特許請求の範囲】
【請求項１】
下りリンクにおいて連続する複数のサブキャリアから周波数帯域が構成され、１個またはそれ以上の前記周波数帯域において複数の時間・周波数リソースから構成される制御チャネルエレメントを１個またはそれ以上含んだ下りリンク制御チャネルを受信し、前記下りリンク制御チャネルから下りリンク共有データチャネルの無線リソース割り当て情報として周波数帯域を示す情報と１つ以上のリソースブロックを示す情報を取得し、複数の前記周波数帯域において前記下りリンク共有データチャネルを受信する移動局装置であって、
前記下りリンク制御チャネルには、少なくとも前記無線リソース割り当て情報を含む制御情報から生成されるＣＲＣに対して移動局識別子と排他的論理和の処理が行われた情報と前記制御情報とから生成された信号が配置されており、前記下りリンク制御チャネルを受信する前記周波数帯域において前記下りリンク制御チャネルが復号される複数の制御チャネルエレメントを含む領域に関連して、前記領域に含まれる制御チャネルエレメントの個数を決定し、
前記決定は前記下りリンク制御チャネルを受信する前記周波数帯域において復号と検出が実行される、前記無線リソース割り当て情報を含む前記下りリンク制御チャネルの個数に応じてなされ、
前記領域に配置された信号を復号し、
復号結果から基地局装置より割り当てられた移動局識別子と前記ＣＲＣとの排他的論理和の処理が行われた情報と前記制御情報とを検出し、
検出した前記制御情報は、前記周波数帯域を示す情報と前記１つ以上のリソースブロックを示す情報とを含むこと
を特徴とする移動局装置。
【請求項２】
前記下りリンク制御チャネルと前記周波数帯域の配置関係に関する設定情報を受信し、
前記決定は、前記設定情報を用いてなされること
を特徴とする請求項１に記載の移動局装置。
【請求項３】
前記設定情報は、複数の前記周波数帯域について、前記下りリンク制御チャネルが割り当てられていないものがあるか否かを示す情報であること
を特徴とする請求項２に記載の移動局装置。
【請求項４】
前記設定情報は、前記下りリンク制御チャネルが割り当てられていない周波数帯域の識別情報と、
前記下りリンク制御チャネルが割り当てられた周波数帯域の識別情報と、を含むこと
を特徴とする請求項２または請求項３のいずれか一項に記載の移動局装置。
【請求項５】
前記設定情報は、一つ以上の前記周波数帯域に対して、前記下りリンク制御チャネルが有るか否かを示す情報であること
を特徴とする請求項２から請求項４のいずれか一項に記載の移動局装置。
【請求項６】
前記領域は、異なる集合数の制御チャネルエレメントの集合を含むことができ、前記集合数に応じて、前記領域に含まれる制御チャネルエレメントの個数を決定すること
を特徴とする請求項１から請求項５のいずれか一項に記載の移動局装置。
【請求項７】
検出又は復号を開始する制御チャネルエレメントの番号を設定して、前記領域に配置された信号を復号すること
を特徴とする請求項１から請求項６のいずれか一項に記載の移動局装置。
【請求項８】
下りリンクにおいて連続する複数のサブキャリアから周波数帯域が構成され、１個またはそれ以上の前記周波数帯域において複数の時間・周波数リソースから構成される制御チャネルエレメントを１個またはそれ以上含んだ下りリンク制御チャネルを送信し、前記下りリンク制御チャネルから下りリンク共有データチャネルの無線リソース割り当て情報として周波数帯域を示す情報と１つ以上のリソースブロックを示す情報を移動局装置に取得させる基地局装置であって、
前記下りリンク制御チャネルには、少なくとも前記無線リソース割り当て情報を含む制御情報から生成されるＣＲＣに対して移動局識別子と排他的論理和の処理が行われた情報と前記制御情報とから生成された信号が配置されており、前記下りリンク制御チャネルを送信する前記周波数帯域において前記下りリンク制御チャネルが復号される複数の制御チャネルエレメントを含む領域に関連して、前記領域に含まれる制御チャネルエレメントの個数を制御し、
前記制御は前記下りリンク制御チャネルを受信する前記周波数帯域において復号と検出が実行される、前記無線リソース割り当て情報を含む前記下りリンク制御チャネルの個数に応じてなされ、
前記領域に配置された信号を復号させ、
復号結果から基地局装置より割り当てた移動局識別子と前記ＣＲＣとの排他的論理和の処理が行われた情報と前記制御情報とを検出させ、
検出させた前記制御情報は、前記周波数帯域を示す情報と前記１つ以上のリソースブロックを示す情報とを含むこと
を特徴とする基地局装置。
【請求項９】
下りリンクにおいて連続する複数のサブキャリアから周波数帯域が構成され、１個またはそれ以上の前記周波数帯域において複数の時間・周波数リソースから構成される制御チャネルエレメントを１個またはそれ以上含んだ下りリンク制御チャネルを受信し、前記下りリンク制御チャネルから下りリンク共有データチャネルの無線リソース割り当て情報として周波数帯域を示す情報と１つ以上のリソースブロックを示す情報を取得し、複数の前記周波数帯域において前記下りリンク共有データチャネルを受信する移動局装置における制御方法であって、
前記下りリンク制御チャネルには、少なくとも前記無線リソース割り当て情報を含む制御情報から生成されるＣＲＣに対して移動局識別子と排他的論理和の処理が行われた情報と前記制御情報とから生成された信号が配置されており、前記下りリンク制御チャネルを受信する前記周波数帯域において前記下りリンク制御チャネルが復号される複数の制御チャネルエレメントを含む領域に関連して、
前記領域に含まれる制御チャネルエレメントの個数を決定するステップを有し、
前記決定は前記下りリンク制御チャネルを受信する前記周波数帯域において復号と検出が実行される、前記無線リソース割り当て情報を含む前記下りリンク制御チャネルの個数に応じてなされ、
前記領域に配置された信号を復号し、
復号結果から基地局装置より割り当てられた移動局識別子と前記ＣＲＣとの排他的論理和の処理が行われた情報と前記制御情報とを検出し、
検出した前記制御情報は、前記周波数帯域を示す情報と前記１つ以上のリソースブロックを示す情報とを含むこと
を特徴とする移動局装置における制御方法。
【請求項１０】
下りリンクにおいて連続する複数のサブキャリアから周波数帯域が構成され、１個またはそれ以上の前記周波数帯域において複数の時間・周波数リソースから構成される制御チャネルエレメントを１個またはそれ以上含んだ下りリンク制御チャネルを送信し、前記下りリンク制御チャネルから下りリンク共有データチャネルの無線リソース割り当て情報として周波数帯域を示す情報と１つ以上のリソースブロックを示す情報を移動局装置に取得させる基地局装置の制御方法であって、
前記下りリンク制御チャネルには、少なくとも前記無線リソース割り当て情報を含む制御情報から生成されるＣＲＣに対して移動局識別子と排他的論理和の処理が行われた情報と前記制御情報とから生成された信号が配置されており、前記
下りリンク制御チャネルを送信する前記周波数帯域において前記下りリンク制御チャネルが復号される複数の制御チャネルエレメントを含む領域に関連して、前記領域に含まれる制御チャネルエレメントの個数を制御するステップを有し、
前記制御は前記下りリンク制御チャネルを受信する前記周波数帯域において復号と検出が実行される、前記無線リソース割り当て情報を含む前記下りリンク制御チャネルの個数に応じてなされ、
前記領域に配置された信号を復号させ、
復号結果から基地局装置より割り当てた移動局識別子と前記ＣＲＣとの排他的論理和の処理が行われた情報と前記制御情報とを検出させ、
検出させた前記制御情報は、前記周波数帯域を示す情報と前記１つ以上のリソースブロックを示す情報とを含むこと
を特徴とする基地局装置における制御方法。
【発明の詳細な説明】
【技術分野】
【０００１】
本発明は、移動局装置、基地局装置、移動局装置における制御方法、および基地局装置における制御方法に関する。
本願は、２００８年１０月２９日に、日本に出願された特願２００８−２７８５１７号に基づき優先権を主張し、その内容をここに援用する。
【背景技術】
【０００２】
セルラー移動通信の第三世代（３Ｇ）無線アクセス方式として、広帯域符号分割多元接続（Ｗ‐ＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）方式が第三世代パートナーシッププロジェクト（以下、「３ＧＰＰ（３ｒｄ  Ｇｅｎｅｒａｔｉｏｎ  Ｐａｒｔｎｅｒｓｈｉｐ  Ｐｒｏｊｅｃｔ）」という）において標準化され、同方式によるセルラー移動通信サービスが開始されている。また、３ＧＰＰにおいて、３Ｇの進化（以下、「ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）」という）および３Ｇネットワークの進化（以下、「ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）」という）が検討されている。【０００３】
ＥＵＴＲＡの基地局装置から移動局装置への送信である下りリンクとして、マルチキャリア送信である直交周波数分割多重（以下、「ＯＦＤＭ（Ｏｒｔｈｏｇｏｎａｌ  Ｆｒｅｑｕｅｎｃｙ Ｄｉｖｉｓｉｏｎ  Ｍｕｌｔｉｐｌｅｘｉｎｇ）」という）方式が用いられている。また、ＥＵＴＲＡの移動局装置から基地局装置への送信である上りリンクとして、シングルキャリア送信である離散フーリエ変換−スプレッド直交周波数分割多重（Ｄｉｓｃｒｅｔｅ  Ｆｏｕｒｉｅｒ  Ｔｒａｎｓｆｏｒｍ：ＤＦＴ−Ｓｐｒｅａｄ  ＯＦＤＭ）方式のシングルキャリア通信方式が用いられている。【０００４】
また、３ＧＰＰにおいて、セルラー移動通信の第四世代（以下、「４Ｇ（４ｔｈ  Ｇｅｎｅｒａｔｉｏｎ）」という）無線アクセス方式（Ａｄｖａｎｃｅｄ  ＥＵＴＲＡ；以下、「Ａ−ＥＵＴＲＡ」という）および、４Ｇネットワーク（Ａｄｖａｎｃｅｄ  ＥＵＴＲＡＮ）の検討が開始されている。
Ａ−ＥＵＴＲＡでは、ＥＵＴＲＡよりも広い周波数帯域に対応すること、およびＥＵＴＲＡとの互換性（ｃｏｍｐａｔｉｂｉｌｉｔｙ）を確保することが検討されており、ＥＵＴＲＡに対応した移動局装置は、基地局装置の周波数帯域の一部（以下、「サブバンド」という）を用いて基地局装置と通信を行い、Ａ−ＥＵＴＲＡに対応した移動局装置は、基地局装置の１個またはそれ以上のサブバンドを用いて基地局装置と通信を行うことが提案されている。すなわち、移動局装置の送受信を制御している基地局装置は、ＥＵＴＲＡに対応した移動局装置とは、いずれか１個のサブバンドを用いて送受信を行い、Ａ−ＥＵＴＲＡに対応した移動局装置とは、送受信する移動局装置の能力に応じて１個またはそれ以上のサブバンドを用いて送受信を行うというものである。つまり、基地局装置は、各サブバンドにおいて、ＥＵＴＲＡに対応した移動局装置には、サブバンド内のいくつかのリソース（リソースブロック）を割り当て、Ａ−ＥＵＴＲＡに対応した移動局装置には、ＥＵＴＲＡに対応した移動局装置に割り当てていない別のいくつかのリソースを割り当てることによって、全てのサブバンドを使用するというものである。ただし、Ａ−ＥＵＴＲＡに対応した移動局装置においても、同時に送受信できるサブバンドの数が異なるため、Ａ−ＥＵＴＲＡに対応した移動局装置の能力に応じて割り当てるリソースの数を変更する。【０００５】
Ａ−ＥＵＴＲＡにおける基地局装置から移動局装置への送信である下りリンクとして、マルチキャリア送信であるＯＦＤＭを用い、複数の周波数帯域を用いて通信を行うレイヤードＯＦＤＭ（Ｌａｙｅｒｅｄ  ＯＦＤＭ）方式が提案されている（非特許文献１参照）。【０００６】
図１５は、ＥＵＴＲＡにおける下りリンク無線フレームの概略構成を示す図である。図１５において、横軸は周波数領域、縦軸は時間領域を表している。下りリンク無線フレームは、無線リソース割り当てなどの単位であり、予め決められた幅の周波数帯および時間帯からなる物理リソースブロック（以下、「ＰＲＢ（Ｐｈｙｓｉｃａｌ  Ｒｅｓｏｕｒｃｅ  Ｂｌｏｃｋ）」という）ペアから構成されている。１個のＰＲＢペアは時間領域で連続する２個のＰＲＢから構成される。【０００７】
１個のＰＲＢは周波数領域において１２個のサブキャリアから構成され、時間領域において７個のＯＦＤＭシンボルから構成される。システム帯域幅は、基地局装置の通信帯域幅である。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルとから構成されるユニットをリソースエレメントと呼ぶ。また、下りリンク無線フレームではシステム帯域幅に応じて複数のＰＲＢが配置される。【０００８】
各サブフレームには少なくとも、情報データの送信に用いる下りリンク共有データチャネル、制御データの送信に用いる下りリンク制御チャネルが配置される。図１５において図示は省略するが、下りリンク共有データチャネル、および下りリンク制御チャネルのチャネル推定に用いる下りリンクパイロットチャネルが複数のリソースエレメントに分散して配置される。図１５では、下りリンク制御チャネルはサブフレームの１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボルはサブフレーム単位で変化することができる。【０００９】
なお、図１５において図示は省略しているが、下りリンク制御チャネルを構成するＯＦＤＭシンボル数を示す制御フォーマットインディケータチャネルは最初のＯＦＤＭシンボルに配置され、下りリンク制御チャネルは１番目のＯＦＤＭシンボルのみに配置されたり、１番目と２番目のＯＦＤＭシンボルに配置されたりする場合もある。なお、同一のＯＦＤＭシンボルにおいて下りリンク制御チャネルと下りリンク共有データチャネルとは一緒に配置されない。下りリンク制御チャネルには、移動局識別子、下りリンク共有データチャネルの無線リソース割り当て情報、マルチアンテナ関連情報、変調方式、符号化率、再送パラメータなどが配置される。【００１０】
下りリンク制御チャネルは、単数または複数の制御チャネルエレメント（ＣＣＥ：Ｃｏｎｔｒｏｌ  Ｃｈａｎｎｅｌ  Ｅｌｅｍｅｎｔ）により構成される。制御チャネルエレメントの数はシステム帯域幅と下りリンク制御チャネルを構成するＯＦＤＭシンボル数と通信に用いる基地局装置の送信アンテナ数に応じた下りリンクパイロットチャネルの数とに依存する。制御チャネルエレメントは、複数のリソースエレメントにより構成される。
図１６は、ＥＵＴＲＡにおける制御チャネルエレメントと下りリンク制御チャネルの論理的な関係を説明する図である。ここで、ＣＣＥ  ｎは、制御チャネルエレメントインデックスｎの制御チャネルエレメントを示す。制御チャネルエレメントインデックスは、制御チャネルエレメントを識別する番号である。【００１１】
下りリンク制御チャネルは、単数または複数の制御チャネルエレメントからなる集合により構成される。この集合を構成する制御チャネルエレメントの数を、以下、「ＣＣＥ集合数（ＣＣＥ  ａｇｇｒｅｇａｔｉｏｎ  ｎｕｍｂｅｒ）」という。下りリンク制御チャネルを構成するＣＣＥ集合数は符号化率、制御データの量に応じて決まる。また、ｎ個の制御チャネルエレメントからなる集合を、以下、「ＣＣＥ集合ｎ」という。例えば、１個の制御チャネルエレメントにより下りリンク制御チャネルを構成（ＣＣＥ集合１）したり、２個の制御チャネルエレメントにより下りリンク制御チャネルを構成（ＣＣＥ集合２）したり、４個の制御チャネルエレメントにより下りリンク制御チャネルを構成（ＣＣＥ集合４）したり、８個の制御チャネルエレメントにより下りリンク制御チャネルを構成（ＣＣＥ集合８）したりする。【００１２】
制御チャネルエレメントは、複数のリソースエレメントグループ（ｍｉｎｉ‐ＣＣＥともいう）により構成される。図１７は、ＥＵＴＲＡによる下りリンクのサブフレームにおけるリソースエレメントグループの配置例を説明する図である。ここでは、下りリンク制御チャネルが１番目から３番目までのＯＦＤＭシンボルにより構成され、２本の送信アンテナ（送信アンテナ１、送信アンテナ２）の下りリンクパイロットチャネルが配置された場合について示す。図１７において、横軸は周波数領域、縦軸は時間領域を示す。また、図１７の配置例では、１個のリソースエレメントグループは４個のリソースエレメントにより構成され、周波数領域の隣接するリソースエレメントにより構成される。【００１３】
図１７において、下りリンク制御チャネルの同一の符号が付されたリソースエレメントは、同一のリソースエレメントグループに属することを示す。なお、下りリンクパイロットチャネルが配置されたリソースエレメントＲ１（送信アンテナ１より送信される下りリンクパイロットチャネル）、Ｒ２（送信アンテナ２より送信される下りリンクパイロットチャネル）は飛ばしてリソースエレメントグループが構成される。【００１４】
図１７では、最初に周波数の最も低く、１番目のＯＦＤＭシンボルのリソースエレメントグループから番号付け（符号「１」）が行なわれる。次に周波数の最も低く、２番目のＯＦＤＭシンボルのリソースエレメントグループに番号付け（符号「２」）が行なわれる。次に周波数の最も低く、３番目のＯＦＤＭシンボルのリソースエレメントグループに番号付け（符号「３」）が行なわれる。【００１５】
次に下りリンクパイロットチャネルが配置されない２番目のＯＦＤＭシンボルの番号付けが行なわれたリソースエレメントグループ（符号「２」）に周波数方向に隣接するリソースエレメントグループに番号付け（符号「４」）が行なわれる。次に下りリンクパイロットチャネルが配置されない３番目のＯＦＤＭシンボルの番号付けが行なわれたリソースエレメントグループ（符号「３」）に周波数方向に隣接するリソースエレメントグループに番号付け（符号「５」）が行なわれる。【００１６】
次に１番目のＯＦＤＭシンボルの番号付けが行なわれたリソースエレメントグループ（符号「１」）に周波数方向に隣接するリソースエレメントグループに番号付け（符号「６」）が行なわれる。次に２番目のＯＦＤＭシンボルの番号付けが行なわれたリソースエレメントグループ（符号「２」）に周波数方向に隣接するリソースエレメントグループに番号付け（符号「７」）が行なわれる。次に３番目のＯＦＤＭシンボルの番号付けが行なわれたリソースエレメントグループ（符号「３」）に周波数方向に隣接するＯＦＤＭシンボルのリソースエレメントグループに番号付け（符号「８」）が行なわれる。以降の、ＰＲＢペアのリソースエレメントグループに対しても同様の番号付けが行なわれる。【００１７】
制御チャネルエレメントは、図１７に示すように構成された複数のリソースエレメントグループにより構成される。例えば、１個の制御チャネルエレメントは、周波数領域および時間領域に分散した９個の異なるリソースエレメントグループにより構成される。具体的には、システム帯域幅全体に対して図１７のように番号付けされた全てのリソースエレメントグループに対してブロックインタリーバーを用いてリソースエレメントグループ単位でインタリーブが行なわれ、インタリーブ後の番号の連続する９個のリソースエレメントグループによって１個の制御チャネルエレメントが構成される。【００１８】
移動局装置は、各サブフレームにおいて受信した制御チャネルエレメントに対して自移動局装置に割り当てられる可能性のある複数の下りリンク制御チャネルを想定して受信信号の復調、復号をし、下りリンク制御チャネルに付加される巡回冗長検査（以下、「ＣＲＣ（Ｃｙｃｌｉｃ  Ｒｅｄｕｎｄａｎｃｙ  Ｃｈｅｃｋ）」という）符号を用いて自移動局装置に割り当てられた下りリンク制御チャネルかどうかを確認するＣＲＣチェックを行う。具体的には、基地局装置は予め決められた生成多項式を用いて制御データからＣＲＣ符号を生成し、生成したＣＲＣ符号と下りリンク制御チャネルを割り当てる移動局装置の移動局識別子との排他的論理和をとった情報（ＣＲＣ  ｍａｓｋｅｄ  ｂｙ  ＵＥ  ＩＤ）を下りリンク制御チャネルに付加して制御チャネルエレメントに多重して送信する。基地局装置から制御チャネルエレメントを受信した移動局装置は前記操作の逆処理を行うことにより、誤り検出と共に自移動局装置宛ての下りリンク制御チャネルが多重されて送信されたか否かを検出する。【００１９】
例えば、図１６に示すような下りリンク制御チャネルの場合、ＣＣＥ  １からＣＣＥ  ８までについては、８個のＣＣＥ集合１に対してと、４個のＣＣＥ集合２に対してと、２個のＣＣＥ集合４に対してと、１個のＣＣＥ集合８に対してとの合計１５通りの制御チャネルエレメントの組み合わせに対して、下りリンク制御チャネルが多重されて送信されたものと想定して、受信信号の復調、復号、ＣＲＣチェックを行う。このような処理は下りリンク制御チャネルの総当たり復号（Ｂｌｉｎｄ  ｄｅｃｏｄｉｎｇ）と呼ばれ、総当たり復号回数は可能性のある制御チャネルエレメントの数の増加に伴い、増大する。【００２０】
ここで、下りリンク制御チャネルの変調方式は、固定であり、符号化率は、ＣＣＥ集合数毎にいくつかの候補が設定される。従って、総当たり復号を行う際には、各制御チャネルエレメントの組み合わせに対して、該ＣＣＥ集合数に応じた候補の符号化率各々について復号、ＣＲＣチェックを行う。すなわち、ある制御チャネルエレメントの組み合わせのＣＣＥ集合数に応じた候補の符号化率が２個であれば、これら２個の符号化率各々を用いた場合の該制御チャネルエレメントの組み合わせに対する復号、ＣＲＣチェックを行うので、該制御チャネルエレメントの組み合わせに対して２通りの復号、ＣＲＣチェックを行う。このときの符号化率は、下りリンク制御チャネルで送信される制御データの量に応じて変わる。なお、下りリンク制御チャネルの制御データの量が一定の場合、符号化率はＣＣＥ集合数によって決まるので、各制御チャネルエレメントの組み合わせに対して一通りの復号、ＣＲＣチェックを行う。また、システム帯域幅が広くなるにつれて制御チャネルエレメント数が増大して、下りリンク制御チャネルの総当たり復号回数は多くなり、移動局装置の処理負荷が大きくなる。【００２１】
そのため、下りリンク制御チャネルの総当たり復号回数を減らす方法が用いられる。それぞれの移動局装置は、下りリンク制御チャネルの復号を行なう制御チャネルエレメントを設定する。具体的には、移動局識別子を入力としたハッシュ関数により、移動局装置は下りリンク制御チャネルの復号を開始する制御チャネルエレメントの番号（以下、「開始ポイントインデックス（Ｓｔａｒｔｉｎｇ  ｐｏｉｎｔ  ｉｎｄｅｘ）」という）をＣＣＥ集合数毎に設定する。移動局装置は、設定した開始ポイントインデックスから複数個の制御チャネルエレメントを用いて下りリンク制御チャネルの復号を行なう（以下、移動局装置が下りリンク制御チャネルの復号を行なう複数個の制御チャネルエレメントからなる領域を「移動局個別探索領域（ＵＥ  ｓｐｅｃｉｆｉｃ  ｓｅａｒｃｈ  ｓｐａｃｅ）」という）。【００２２】
基地局装置は、下りリンク制御チャネルを割り当てる移動局装置の移動局識別子を認識しており、移動局識別子に応じて決定される移動局個別探索領域内の制御チャネルエレメントに移動局装置に個別の制御データを含む下りリンク制御チャネルを多重し、送信する。このように、移動局装置が下りリンク制御チャネルの復号を行なう制御チャネルエレメントを制限することにより移動局装置の下りリンク制御チャネルの復号回数を減らす方法が用いられる。【００２３】
Ａ−ＥＵＴＲＡでは、ＥＵＴＲＡよりも広い周波数帯域に対応すること、およびＥＵＴＲＡとの互換性を確保することが検討されている。例えば、ＥＵＴＲＡの周波数帯域幅を一単位（サブバンド）として複数の周波数帯域（複数のサブバンド）から構成される無線通信システムが検討されている。【００２４】
複数のサブバンドから構成される無線通信システムであるＡ−ＥＵＴＲＡにおいて、下りリンク制御チャネルに含まれる下りリンク共有データチャネルの無線リソースの割り当てを示す無線リソース割り当て情報として複数の方法が検討されている（非特許文献２参照）。【００２５】
例えば、ＥＵＴＲＡと同様の無線リソース割り当て情報を用いることが検討されている（以下、この方法を「無線リソース割り当て方法１」という）。無線リソース割り当て方法１において、下りリンク制御チャネルに含まれる無線リソース割り当て情報は、下りリンク制御チャネルが配置されたサブバンド内にのみ対応し、下りリンク制御チャネルが配置されたサブバンド内のいずれのＰＲＢペアを該下りリンク制御チャネルを割り当てる移動局装置の下りリンク共有データチャネルに割り当てるかを示す。無線リソース割り当て方法１は、ＥＵＴＲＡと同様の無線リソース割り当て情報を用いるので、移動局装置の設計、動作テストの負荷を軽減することができる。【００２６】
その他の方法として、ＥＵＴＲＡの無線リソース割り当て情報にサブバンドの情報を追加することが検討されている（以下、この方法を「無線リソース割り当て方法２」という）。無線リソース割り当て方法２において、下りリンク制御チャネルに含まれる無線リソース割り当て情報は、単一のサブバンド内のいずれのＰＲＢペアを該下りリンク制御チャネルを割り当てる移動局装置の下りリンク共有データチャネルに割り当てるかを示す情報と、前記ＰＲＢペアがいずれのサブバンドかを示す情報とにより構成する。
無線リソース割り当て方法２は、無線リソース割り当て方法１と比較してサブバンドの情報を含む新たな制御データのフォーマットが必要になるので、移動局装置の設計、動作テストの負荷は多少増加するが、下りリンク制御チャネルの無線リソース割り当て情報で示す下りリンク共有データチャネルのＰＲＢペアは該下りリンク制御チャネルが配置されるサブバンドに限定されないので、基地局装置のスケジューリングの自由度を増大させることができる。
【先行技術文献】
【非特許文献】
【００２７】
【非特許文献１】３ＧＰＰ  ＴＳＧ  ＲＡＮ１  ＃５３，Ｋａｎｓａｓ  Ｃｉｔｙ，ＵＳＡ，５−９  Ｍａｙ，２００８，Ｒ１−０８１９４８“Ｐｒｏｐｏｓａｌｓ  ｆｏｒ  ＬＴＥ−Ａｄｖａｎｃｅｄ  Ｔｅｃｈｎｏｌｏｇｉｅｓ”
【非特許文献２】３ＧＰＰ  ＴＳＧ  ＲＡＮ１  ＃５３ｂｉｓ，Ｗａｒｓａｗ，Ｐｏｌａｎｄ，Ｊｕｎｅ  ３０−Ｊｕｌｙ  ４，２００８，Ｒ１−０８２４６８“Ｃａｒｒｉｅｒ  ａｇｇｒｅｇａｔｉｏｎ  ｉｎ  ＬＴＥ−Ａｄｖａｎｃｅｄ”
【発明の概要】
【発明が解決しようとする課題】
【００２８】
しかしながら、Ａ−ＥＵＴＲＡに無線リソース割り当て方法１、または無線リソース割り当て方法２を適用した基地局装置が、無線リソース割り当て方法１、または無線リソース割り当て方法２を用いて１個の移動局装置の下りリンク共有データチャネルに複数のサブバンドのＰＲＢペアを同時に割り当てる場合、移動局装置に個別の制御データを含む複数の下りリンク制御チャネルを用いる必要がある。例えば、高速大容量のデータ通信が要求される移動局装置には非常に多くのＰＲＢペアを同時に割り当てることが必要となる。
基地局装置が複数のサブバンドに亘ってＰＲＢペアを無線リソース割り当て方法１、または無線リソース割り当て方法２を用いて１個の移動局装置に同時に割り当てようとした場合、複数の下りリンク制御チャネルを用いる必要がある。【００２９】
このように、複数の下りリンク制御チャネルを用いることによって高速大容量のデータ通信を行うことができるが、それにともなって自移動局装置宛ての多くの下りリンク制御チャネルを検出することが必要となり、検出した多くの下りリンク制御チャネルを組み合わせて復号を行うこととなる。このことは、移動局装置が非常に多くの総当たり復号を行わなければならないことを意味し、この非常に多くの総当たり復号の処理は、移動局装置の処理負荷の増大を招くという問題がある。
【課題を解決するための手段】
【００３０】
本発明の無線通信システムは、複数の移動局装置と、複数の時間・周波数リソースから構成された制御チャネルエレメントを１個またはそれ以上含んだ制御チャネルからなる送信信号を前記移動局装置に送信する基地局装置と、を具備する無線通信システムにおいて、前記基地局装置は、前記移動局装置に個別の制御情報を生成する制御情報生成部と、前記制御情報生成部によって生成された前記移動局装置毎の前記制御情報の個数を示す制御情報数インディケーターを前記移動局装置毎に生成する制御情報数インディケーター生成部と、前記制御情報数インディケーター生成部によって生成された前記制御情報数インディケーターを１個またはそれ以上の前記制御チャネルエレメントを用いて前記移動局装置に送信し、前記制御情報生成部によって生成された１個またはそれ以上の前記制御情報を１個またはそれ以上の前記制御チャネルを用いて前記移動局装置に送信する送信部と、を備え、前記移動局装置は、前記移動局装置の移動局識別子に基づいて選択される移動局個別探索領域内で、前記基地局装置から送信された制御情報数インディケーターと、制御情報とを受信する受信部と、前記受信部が受信した前記制御情報数インディケーターの検出を行なう制御情報数インディケーター検出部と、前記制御情報数インディケーター検出部が検出した前記制御情報の個数に応じて前記制御チャネルの復号を行なう制御チャネル復号部と、を備えることを特徴とする。【００３１】
また、本発明の前記制御チャネル復号部は、前記制御情報数インディケーター検出部が検出した前記制御情報数インディケーターを確認し、前記制御情報数インディケーターが１個またはそれ以上の前記制御情報の個数を示す場合には、該示された個数の当該移動局装置の制御情報を検出するまで前記制御チャネルの復号を行い、前記制御情報数インディケーターが無いまたは当該移動局装置に個別の前記制御情報が無いことを示す場合には、前記制御チャネルの復号を行わない、ことを特徴とする。【００３２】
また、本発明の前記制御情報数インディケーターは、前記制御情報数インディケーターが配置された時間領域のフレームにおける前記移動局装置に個別の制御情報の個数を示す、ことを特徴とする。【００３３】
また、本発明の前記制御チャネルは、予め定められた順番の制御チャネルエレメントに対して前記制御情報数インディケーターが配置された制御チャネルエレメントに後続する制御チャネルエレメントに配置される、ことを特徴とする。【００３４】
また、本発明の前記制御チャネル復号部は、前記制御情報数インディケーター検出部が検出した前記制御情報の個数に応じて前記制御チャネルの復号を行なう前記移動局個別探索領域の制御チャネルエレメントの個数を制御する、ことを特徴とする。【００３５】
また、本発明の前記制御情報数インディケーターは、前記移動局識別子に基づいて選択される前記移動局個別探索領域内で最初に探索される前記制御チャネルエレメントに優先的に配置される、ことを特徴とする。【００３６】
また、本発明の前記制御情報数インディケーターは、予め定められた数の制御チャネルエレメントに配置され、前記制御情報数インディケーター検出部は、該予め定められた数の制御チャネルエレメント単位で前記制御情報数インディケーターの検出を行なう、ことを特徴とする。【００３７】
また、本発明の前記制御情報数インディケーターは、更に、前記移動局装置に個別の制御情報を含む、１個またはそれ以上の前記制御チャネルを構成する制御チャネルエレメントの個数を含み、前記制御チャネル復号部は、前記制御情報数インディケーターに示された前記制御チャネルエレメントの個数を確認し、前記制御情報数インディケーターに示された個数の制御チャネルエレメントによって構成される１個またはそれ以上の前記制御チャネルに対して、前記制御情報数インディケーターに示された個数の制御情報を検出するまで前記制御チャネルの復号を行なう、ことを特徴とする。【００３８】
また、本発明の前記基地局装置は、連続する複数のサブキャリアから複数の周波数帯域を構成し、周波数帯域の複数の時間・周波数リソースから制御チャネルエレメントを構成し、１個またはそれ以上の前記制御チャネルエレメントから制御チャネルを構成し、前記制御情報数インディケーターは、前記周波数帯域毎の前記移動局装置に個別の制御情報の個数を示し、前記制御チャネル復号部は、前記周波数帯域毎に前記制御情報数インディケーター検出部が検出した前記制御情報の個数に応じた個数の前記制御チャネルの復号を行なう、ことを特徴とする。【００３９】
また、本発明の移動局装置は、複数の時間・周波数リソースから構成された制御チャネルエレメントを１個またはそれ以上含んだ制御チャネルからなる、基地局装置から送信された送信信号を受信する移動局装置において、前記移動局装置の移動局識別子に基づいて選択される移動局個別探索領域内で、前記基地局装置から送信された前記制御チャネルを含む送信信号を受信する受信部と、前記受信部が受信した該移動局装置に個別の制御情報の個数を示す制御情報数インディケーターの検出を行なう制御情報数インディケーター検出部と、前記制御情報数インディケーター検出部が検出した前記制御情報の個数に応じて前記制御チャネルの復号を行なう制御チャネル復号部と、を備えることを特徴とする。【００４０】
また、本発明の前記制御チャネル復号部は、前記制御情報数インディケーター検出部が検出した前記制御情報数インディケーターを確認し、前記制御情報数インディケーターが１個またはそれ以上の前記制御情報の個数を示す場合には、該示された個数の当該移動局装置の制御情報を検出するまで前記制御チャネルの復号を行い、前記制御情報数インディケーターが無いまたは当該移動局装置に個別の前記制御情報が無いことを示す場合には、前記制御チャネルの復号を行わない、ことを特徴とする。【００４１】
また、本発明の前記制御情報数インディケーターは、前記制御情報数インディケーターが配置された時間領域のフレームにおける前記移動局装置に個別の制御情報の個数を示し、前記制御チャネル復号部は、前記制御情報数インディケーター検出部が検出した前記制御情報の個数に応じて前記制御チャネルの復号を行なう、ことを特徴とする。【００４２】
また、本発明の前記制御チャネルは、予め定められた順番の制御チャネルエレメントに対して前記制御情報数インディケーターが配置された制御チャネルエレメントに後続する制御チャネルエレメントに配置され、前記制御チャネル復号部は、前記制御情報数インディケーター検出部が検出した前記制御情報の個数に応じて前記制御チャネルの復号を行なう、ことを特徴とする。【００４３】
また、本発明の前記制御チャネル復号部は、前記制御情報数インディケーター検出部が検出した前記制御情報の個数に応じて前記制御チャネルの復号を行なう前記移動局個別探索領域の制御チャネルエレメントの個数を制御する、ことを特徴とする。【００４４】
また、本発明の前記制御情報数インディケーターは、前記移動局識別子に基づいて選択される前記移動局個別探索領域内で最初に探索される前記制御チャネルエレメントに優先的に配置され、前記制御チャネル復号部は、前記制御情報数インディケーター検出部が検出した前記制御情報の個数に応じて前記制御チャネルの復号を行なう、ことを特徴とする。【００４５】
また、本発明の前記制御情報数インディケーターは、予め定められた数の制御チャネルエレメントに配置され、前記制御情報数インディケーター検出部は、該予め定められた数の制御チャネルエレメント単位で前記制御情報数インディケーターの検出を行なう、ことを特徴とする。【００４６】
また、本発明の前記制御情報数インディケーターは、更に、前記移動局装置に個別の制御情報を含む、１個またはそれ以上の前記制御チャネルを構成する制御チャネルエレメントの個数を含み、前記制御チャネル復号部は、前記制御情報数インディケーターに示された前記制御チャネルエレメントの個数を確認し、前記制御情報数インディケーターに示された個数の制御チャネルエレメントによって構成される１個またはそれ以上の前記制御チャネルに対して、前記制御情報数インディケーターに示された個数の制御情報を検出するまで前記制御チャネルの復号を行なう、ことを特徴とする。【００４７】
また、本発明の移動局装置は、連続する複数のサブキャリアから複数の周波数帯域を構成し、周波数帯域の複数の時間・周波数リソースから制御チャネルエレメントを構成し、１個またはそれ以上の前記制御チャネルエレメントから制御チャネルを構成し、前記制御チャネルを含んで基地局装置から送信された送信信号を受信する前記移動局装置において、前記制御情報数インディケーターは、前記周波数帯域毎の前記移動局装置に個別の制御情報の個数を示し、前記制御チャネル復号部は、前記周波数帯域毎に前記制御情報数インディケーター検出部が検出した前記制御情報の個数に応じた個数の前記制御チャネルの復号を行なう、ことを特徴とする。【００４８】
また、本発明の基地局装置は、複数の時間・周波数リソースから構成された制御チャネルエレメントを１個またはそれ以上含んだ制御チャネルからなる送信信号を移動局装置に送信する基地局装置において、前記移動局装置に個別の制御情報を生成する制御情報生成部と、前記制御情報生成部によって生成された前記移動局装置毎の前記制御情報の個数を示す制御情報数インディケーターを前記移動局装置毎に生成する制御情報数インディケーター生成部と、前記制御情報数インディケーター生成部によって生成された前記制御情報数インディケーターを１個またはそれ以上の前記制御チャネルエレメントを用いて前記移動局装置に送信し、前記制御情報生成部によって生成された１個またはそれ以上の前記制御情報を１個またはそれ以上の前記制御チャネルを用いて前記移動局装置に送信する送信部と、を備えることを特徴とする。
【発明の効果】
【００４９】
本発明によれば、高速大容量のデータ通信を行うために１個の移動局装置に複数の下りリンク制御チャネルが割り当てられる場合がある状況において、移動局装置において下りリンク制御チャネルを検出するために行われる復号の処理負荷を軽減することができる利点がある。
【図面の簡単な説明】
【００５０】
【図１】本発明の実施形態による下りリンク無線フレームの概略構成を示す図である。
【図２】本実施形態の制御チャネルエレメントと下りリンク制御チャネルの論理的な関係を説明する図である。
【図３】本実施形態の下りリンクのサブフレームにおけるリソースエレメントグループの配置例を説明する図である。
【図４】本発明の第一の実施形態におけるシステム帯域内の制御チャネルエレメントの番号付けを説明する図である。
【図５Ａ】本発明の第一の実施形態における下りリンク共有データチャネルの無線リソース割り当て方法を説明する図である。
【図５Ｂ】本発明の第一の実施形態における下りリンク共有データチャネルの無線リソース割り当て方法を説明する図である。
【図５Ｃ】本発明の第一の実施形態における下りリンク共有データチャネルの無線リソース割り当て方法を説明する図である。
【図５Ｄ】本発明の第一の実施形態における下りリンク共有データチャネルの無線リソース割り当て方法を説明する図である。
【図６】本発明の第一の実施形態における基地局装置の構成を示す概略ブロック図である。
【図７】本発明の第一の実施形態における基地局の送信処理部の内部構成を示す概略ブロック図である。
【図８】本発明の第一の実施形態における移動局装置の構成を示す概略ブロック図である。
【図９】本発明の第一の実施形態における移動局の受信処理部の内部構成を示す概略ブロック図である。
【図１０】本発明の第一の実施形態において制御情報数インディケーターと１個またはそれ以上の下りリンク制御チャネルを多重する処理を示すフローチャートである。
【図１１】本発明の第一の実施形態において制御情報数インディケーターと１個またはそれ以上の下りリンク制御チャネルを検出する処理を示すフローチャートである。
【図１２】本発明の第二の実施形態における基地局の送信処理部の内部構成を示す概略ブロック図である。
【図１３】本発明の第二の実施形態における移動局の受信処理部の内部構成を示す概略ブロック図である。
【図１４】本発明の第二の実施形態におけるシステム帯域内の制御チャネルエレメントの番号付けを説明する図である。
【図１５】ＥＵＴＲＡにおける下りリンク無線フレームの概略構成を示す図である。
【図１６】ＥＵＴＲＡにおける制御チャネルエレメントと下りリンク制御チャネルの論理的な関係を説明する図である。
【図１７】ＥＵＴＲＡにおける下りリンクのサブフレームにおけるリソースエレメントグループの配置例を説明する図である。
【発明を実施するための形態】
【００５１】
以下、図面を参照して、本発明の複数の実施の形態について説明する。本実施形態における無線通信システムは、基地局装置１と複数の移動局装置２とを具備し、移動局装置２には、Ａ−ＥＵＴＲＡに対応した移動局装置とＥＵＴＲＡにのみ対応した移動局装置との双方が含まれる。
【００５２】
図１は、本実施形態における基地局装置１から移動局装置２へのリンクである下りリンク無線フレームの概略構成を示す図である。図１において、横軸は周波数領域、縦軸は時間領域を表している。下りリンク無線フレームは、予め決められた幅の周波数帯および時間帯からなるＰＲＢペアから構成されており、１個のＰＲＢペアは時間領域で連続する２個のＰＲＢから構成される。
【００５３】
１個のＰＲＢは周波数領域において１２個のサブキャリアから構成され、時間領域において７個のＯＦＤＭシンボルから構成される。システム帯域幅は、基地局装置１の通信帯域幅であり、複数のサブバンド帯域幅から構成される。例えば、１個のサブバンドは１００個のＰＲＢから構成される。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルとから構成されるユニットをリソースエレメントと呼ぶ。また、下りリンク無線フレームではシステム帯域幅に応じて複数のＰＲＢが配置される。
【００５４】
各サブフレームには少なくとも、情報データの送信に用いる下りリンク共有データチャネル、制御データ（制御情報）の送信に用いる下りリンク制御チャネルが配置される。図１において図示は省略するが、下りリンク共有データチャネル、および下りリンク制御チャネルのチャネル推定に用いる下りリンクパイロットチャネルが複数のリソースエレメントに分散して配置される。図１では、下りリンク制御チャネルはサブフレームの１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボルはサブフレーム単位で変化することができる。
【００５５】
なお、図１において図示は省略しているが、下りリンク制御チャネルを構成するＯＦＤＭシンボル数を示す制御フォーマットインディケータチャネルは最初のＯＦＤＭシンボルに配置される。下りリンク制御チャネルは、図１では１番目と２番目と３番目のＯＦＤＭシンボルに配置されているが、１番目のＯＦＤＭシンボルのみに配置されたり、１番目と２番目のＯＦＤＭシンボルに配置されたりする場合もある。なお、同一のＯＦＤＭシンボルにおいて下りリンク制御チャネルと下りリンク共有データチャネルとは一緒に配置されない。下りリンク制御チャネルには、移動局識別子、下りリンク共有データチャネルの無線リソース割り当て情報、マルチアンテナ関連情報、変調方式、符号化率、再送パラメータなどが配置される。
【００５６】
下りリンク制御チャネルは、単数または複数の制御チャネルエレメント（ＣＣＥ：Ｃｏｎｔｒｏｌ  Ｃｈａｎｎｅｌ  Ｅｌｅｍｅｎｔ）により構成される。制御チャネルエレメントは、複数のリソースエレメントにより構成される。図２は、本発明の無線通信システムの制御チャネルエレメントと下りリンク制御チャネルの論理的な関係を説明する図である。ここで、ＣＣＥ  ｎは、制御チャネルエレメントインデックスｎの制御チャネルエレメントを示す。制御チャネルエレメントインデックスは、制御チャネルエレメントを識別する番号である。
【００５７】
下りリンク制御チャネルは、単数または複数の制御チャネルエレメントからなる集合により構成され、この下りリンク制御チャネルを構成する制御チャネルエレメントの数を示すＣＣＥ集合数は符号化率、制御データの量に応じて決まる。また、ｎ個の制御チャネルエレメントからなるＣＣＥ集合ｎは、例えば、１個の制御チャネルエレメントにより下りリンク制御チャネルを構成（ＣＣＥ集合１）したり、２個の制御チャネルエレメントにより下りリンク制御チャネルを構成（ＣＣＥ集合２）したり、４個の制御チャネルエレメントにより下りリンク制御チャネルを構成（ＣＣＥ集合４）したり、８個の制御チャネルエレメントにより下りリンク制御チャネルを構成（ＣＣＥ集合８）したりすることができる。
【００５８】
本実施形態における制御チャネルエレメントは、同じサブバンドの複数のリソースエレメントグループ（ｍｉｎｉ‐ＣＣＥともいう）により構成される。図３は、本実施形態による下りリンクのサブフレームにおけるリソースエレメントグループの配置例を説明する図である。図３において、横軸は周波数領域、縦軸は時間領域を示す。なお、図３の配置例では、下りリンク制御チャネルが１番目から３番目までのＯＦＤＭシンボルにより構成され、２本の送信アンテナ（送信アンテナ１、送信アンテナ２）の下りリンクパイロットチャネルが配置された場合において、１個のリソースエレメントグループは４個のリソースエレメントにより構成され、かつ周波数領域の隣接するリソースエレメントにより構成される例について示している。
【００５９】
図３において、下りリンク制御チャネルの同一の符号が付されたリソースエレメントは、同一のリソースエレメントグループに属することを示し、下りリンクパイロットチャネルが配置されたリソースエレメントＲ１（送信アンテナ１より送信される下りリンクパイロットチャネル）、Ｒ２（送信アンテナ２より送信される下りリンクパイロットチャネル）は飛ばしてリソースエレメントグループが構成される。
【００６０】
図３では、最初に周波数の最も低く、１番目のＯＦＤＭシンボルのリソースエレメントグループから番号付け（符号「１」）が行なわれる。次に周波数の最も低く、２番目のＯＦＤＭシンボルのリソースエレメントグループに番号付け（符号「２」）が行なわれる。次に周波数の最も低く、３番目のＯＦＤＭシンボルのリソースエレメントグループに番号付け（符号「３」）が行なわれる。
【００６１】
次に下りリンクパイロットチャネルが配置されない２番目のＯＦＤＭシンボルの番号付けが行なわれたリソースエレメントグループ（符号「２」）に周波数方向に隣接するリソースエレメントグループに番号付け（符号「４」）が行なわれる。次に下りリンクパイロットチャネルが配置されない３番目のＯＦＤＭシンボルの番号付けが行なわれたリソースエレメントグループ（符号「３」）に周波数方向に隣接するリソースエレメントグループに番号付け（符号「５」）が行なわれる。
【００６２】
次に１番目のＯＦＤＭシンボルの番号付けが行なわれたリソースエレメントグループ（符号「１」）に周波数方向に隣接するリソースエレメントグループに番号付け（符号「６」）が行なわれる。次に２番目のＯＦＤＭシンボルの番号付けが行なわれたリソースエレメントグループ（符号「２」）に周波数方向に隣接するリソースエレメントグループに番号付け（符号「７」）が行なわれる。次に３番目のＯＦＤＭシンボルの番号付けが行なわれたリソースエレメントグループ（符号「３」）に周波数方向に隣接するＯＦＤＭシンボルのリソースエレメントグループに番号付け（符号「８」）が行なわれる。以降の、ＰＲＢペアのリソースエレメントグループに対しても同様の番号付けが行なわれる。
【００６３】
本実施形態における制御チャネルエレメントは、図３に示すように構成された同じサブバンドの複数のリソースエレメントグループにより構成される。例えば、１個の制御チャネルエレメントは、サブバンド内で周波数領域および時間領域に分散した９個の異なるリソースエレメントグループにより構成される。具体的には、サブバンド毎にサブバンド帯域幅全体に対して図３のように番号付けされた全てのリソースエレメントグループに対してブロックインタリーバーを用いてリソースエレメントグループ単位でインタリーブが行なわれ、インタリーブ後の番号の連続する９個のリソースエレメントグループによって１個の制御チャネルエレメントが構成される。
【００６４】
なお、サブバンドのリソースエレメントグループの数、つまり制御チャネルエレメントの数はサブバンド帯域幅、通信に用いる基地局装置１の送信アンテナ数に応じた下りリンクパイロットチャネルの数、下りリンク制御チャネルを構成するＯＦＤＭシンボル数によって変わる。
【００６５】
（第一の実施形態）
図４は、本発明の第一の実施形態におけるシステム帯域内の制御チャネルエレメントの番号付けを説明する図である。図４では、システム帯域内に５個のサブバンドが構成され、各サブバンドに２０個の制御チャネルエレメントが構成される場合について示す。また、図４の周波数領域においては、サブバンド１＜サブバンド２＜サブバンド３＜サブバンド４＜サブバンド５の順で周波数が低いものとする。
【００６６】
基地局装置１は、先ず、サブバンド１において上述のブロックインタリーバーにより、リソースエレメントをインタリーブする。基地局装置１は、それぞれ９個のリソースエレメントグループから構成される制御チャネルエレメントに対してブロックインタリーバーから出力された順番にＣＣＥ  １、ＣＣＥ  ２、ＣＣＥ  ３、ＣＣＥ  ４、ＣＣＥ  ５、ＣＣＥ  ６、ＣＣＥ  ７、ＣＣＥ  ８、ＣＣＥ  ９、ＣＣＥ  １０、ＣＣＥ  １１、ＣＣＥ  １２、ＣＣＥ  １３、ＣＣＥ  １４、ＣＣＥ  １５、ＣＣＥ  １６、ＣＣＥ  １７、ＣＣＥ  １８、ＣＣＥ  １９、ＣＣＥ  ２０と番号付けが行なわれる。
【００６７】
続いて、サブバンド２の制御チャネルエレメントに対しても同様にＣＣＥ  ２１〜ＣＣＥ  ４０と番号付けが行なわれる。引き続き同様にサブバンド３、サブバンド４、サブバンド５の制御チャネルエレメントに対しても番号付けが行なわれる。
【００６８】
図５Ａ〜図５Ｄは、本発明の第一の実施形態の下りリンク共有データチャネルの無線リソース割り当て方法を説明する図である。図５Ａは、無線リソース割り当て情報の構成を示す図である。無線リソース割り当て情報は、下りリンク共有データチャネルの無線リソースを割り当てるサブバンドの番号を示すサブバンドインデックス（Ｓｕｂｂａｎｄ  ｉｎｄｅｘ）と、下りリンク共有データチャネルの無線リソースを割り当てるサブバンド内におけるＰＲＢペアグループの番号を示すリソースブロックグループ（以下、「ＲＢＧ（Ｒｅｓｏｕｒｃｅ  Ｂｌｏｃｋ  Ｇｒｏｕｐ）」という）ビットマップとから構成される。
【００６９】
図５Ｂは、図５Ａのサブバンドインデックスを説明する図である。図５Ｂでは、システム帯域内に５個のサブバンド（サブバンド１〜サブバンド５）が構成された場合を示し、サブバンドインデックスはこれら５個のサブバンドの内、下りリンク共有データチャネルの無線リソースを割り当てるサブバンドの番号を格納する。
【００７０】
図５Ｃは、ＲＢＧの構成を説明する図である。ＲＢＧは、複数のＰＲＢペアによって構成され、サブバンド帯域内のＰＲＢペアの数によって、１個のＲＢＧを構成するＰＲＢペアの数が設定される。図５Ｃにおいては、１個のサブバンド帯域内に１００個のＰＲＢペアが構成され、１個のＲＢＧは４個のＰＲＢペアによって構成される場合を示す。なお、図５Ｃでは説明の簡略化のため、ＰＲＢペアの１個のＰＲＢのみを示している。
【００７１】
図５Ｄは、図５ＡのＲＢＧビットマップを説明する図である。ＲＢＧビットマップは、ＲＢＧインデックス（ＲＢＧ  ｉｎｄｅｘ）毎に１ビットが構成され、ＲＢＧインデックスと対応するビットはＲＢＧビットマップ内の特定の位置のビットと予め対応付けられている。また、各ビットは下りリンク共有データチャネルに対応するＲＢＧを割り当てるかどうかを示す。例えば、ビットの値が“０”のときは、対応するＲＢＧを割り当てないことを示し、ビットの値が“１”のときは、対応するＲＢＧを割り当てることを示す。以上のような無線リソース割り当て情報が下りリンク制御チャネルに含まれる。
【００７２】
図６は、本発明の第一の実施形態における基地局装置１の構成を示す概略ブロック図である。図６に示すように、基地局装置１は、無線リソース制御部１０、制御部１１、送信処理部１２、受信処理部１３を有する。
【００７３】
無線リソース制御部１０は、移動局装置２各々の送信電力、間欠送受信サイクル、チャネル品質インディケーター（ＣＱＩ：Ｃｈａｎｎｅｌ  Ｑｕａｌｉｔｙ  Ｉｎｄｉｃａｔｏｒ）信号の送信周期、下りリンク共有データチャネル、上りリンク共有データチャネルの変調方式・符号化率などを含む無線リソース制御情報を管理し、無線リソース制御情報を、送信処理部１２を通して、移動局装置２に送信する。
【００７４】
また、無線リソース制御部１０は、移動局装置２への下りリンク制御チャネルの無線リソース割り当てをスケジューリングし、下りリンク制御チャネルの符号化率を決定し、制御部１１を介して送信処理部１２に無線リソースを割り当てる移動局装置２の移動局識別子を含む情報を出力する。
【００７５】
制御部１１は、無線リソース制御部１０から入力された１個またはそれ以上の下りリンク制御チャネルの符号化率を示す情報に基づき移動局装置２に割り当てる１個またはそれ以上の下りリンク制御チャネルの制御チャネルエレメントの数（ＣＣＥ集合数）を移動局装置毎に決定し、１個またはそれ以上の下りリンク制御チャネルを割り当てる移動局装置２の移動局識別子と共に関連情報を送信処理部１２に出力する。
【００７６】
また、制御部１１は、送信処理部１２に対して、１個またはそれ以上の下りリンク制御チャネルを割り当てる移動局装置２に個別の制御データ（制御情報）（以下、移動局装置２に個別の制御データ（制御情報）を「移動局装置個別データ」という）の個数を示す制御情報数インディケーターを生成するように指示する。
また、制御部１１は、１個またはそれ以上の下りリンク制御チャネルを用いて送信する移動局装置個別データを生成し、送信処理部１２に出力する。
なお、各下りリンク制御チャネルで送信する移動局装置個別データは、移動局識別子、下りリンク共有データチャネルの無線リソース割り当て情報、マルチアンテナ関連情報、変調方式、符号化率、再送パラメータ、ＣＲＣ（ＣＲＣ  ｍａｓｋｅｄ  ｂｙ  ＵＥ  ＩＤ）符号等の情報からなる。また、制御部１１は、無線リソース制御部１０から入力された情報に基づき下りリンク共有データチャネルの無線リソース割り当て、変調方式、符号化率の制御を送信処理部１２に対して行なう。
【００７７】
送信処理部１２は、制御部１１から入力された移動局装置個別データを含む制御データに基づき１個またはそれ以上の下りリンク制御チャネル、下りリンク共有データチャネル、制御情報数インディケーターを生成して送信する。送信処理部１２は、移動局識別子に基づき１個またはそれ以上の下りリンク制御チャネルを割り当てる移動局装置２の移動局個別探索領域を設定し、移動局個別探索領域内の１個またはそれ以上の制御チャネルエレメントに該移動局装置２宛ての制御情報数インディケーターを多重し、移動局個別探索領域内のその他の１個またはそれ以上の制御チャネルエレメントに１個またはそれ以上の下りリンク制御チャネルを多重して送信する。下りリンク制御チャネルの多重に用いる制御チャネルエレメントの数は制御部１１から入力された情報に基づく。また、送信処理部１２は、移動局識別子とハッシュ関数に基づきＣＣＥ集合数毎に移動局個別探索領域を設定する。
【００７８】
受信処理部１３は、制御部１１の指示に従い、受信アンテナにより移動局装置２から受信した受信信号を復調、復号して、移動局装置個別データを含む制御データ、情報データを抽出する。受信処理部１３は、抽出した移動局装置個別データを含む制御データを制御部１１に出力し、情報データを図示しない上位層の処理装置に出力する。
【００７９】
図７は、本発明の第一の実施形態における基地局装置１の送信処理部１２の内部構成を示す概略ブロック図である。基地局装置１の送信処理部１２は、複数の下りリンク共有データチャネル処理部２１０と、複数の下りリンク制御チャネル処理部（制御情報生成部）２２０と、ＣＣＥ集合処理部２５０と、複数の制御情報数インディケーター生成部２６０と、パイロットチャネル処理部２４０と、多重部２３０と、ＩＦＦＴ（Ｉｎｖｅｒｓｅ  Ｆａｓｔ  Ｆｏｕｒｉｅｒ  Ｔｒａｎｓｆｏｒｍ：高速逆フーリエ変換）部２０１と、ＧＩ（Ｇｕａｒｄ  Ｉｎｔｅｒｖａｌ：ガードインターバル）挿入部２０２と、Ｄ／Ａ（ディジタルアナログ変換）部２０３と、送信ＲＦ（Ｒａｄｉｏ  Ｆｒｅｑｕｅｎｃｙ：無線周波数）部２０４を有する。なお、ＩＦＦＴ部２０１とＧＩ挿入部２０２とＤ／Ａ部２０３と送信ＲＦ部２０４とを総称して送信部２００という。
【００８０】
複数の下りリンク共有データチャネル処理部２１０、複数の下りリンク制御チャネル処理部２２０、および複数の制御情報数インディケーター生成部２６０は同様の構成および機能を有するので、その１つを代表して説明する。
【００８１】
下りリンク共有データチャネル処理部２１０は、ターボ符号部２１１と、データ変調部２１２と、共有データチャネルＳ／Ｐ（Ｓｅｒｉａｌ／Ｐａｒａｌｌｅｌ：直並列変換）部２１３とを有する。下りリンク制御チャネル処理部２２０は、畳み込み符号部２２１と、ＱＰＳＫ（Ｑｕａｄｒａｔｕｒｅ  Ｐｈａｓｅ  Ｓｈｉｆｔ  Ｋｅｙｉｎｇ：４相位相偏移変調）変調部２２２と、制御チャネルＳ／Ｐ部２２３とを有する。
【００８２】
各下りリンク共有データチャネル処理部２１０は、各移動局装置２への情報データをＯＦＤＭ方式で伝送するためのベースバンド処理を行う。また、下りリンク共有データチャネル処理部２１０は、下りリンク制御チャネル処理部２２０とは異なる情報を含む制御データに対しても処理を行なう。
ターボ符号部２１１は、制御部１１からの符号化率の指示に従い、情報データの誤り耐性を高めるためのターボ符号化を行う。
【００８３】
データ変調部２１２は、ＱＰＳＫ、１６ＱＡＭ（１６  Ｑｕａｄｒａｔｕｒｅ  Ａｍｐｌｉｔｕｄｅ  Ｍｏｄｕｌａｔｉｏｎ：１６直交振幅変調）、６４ＱＡＭ（６４  Ｑｕａｄｒａｔｕｒｅ  Ａｍｐｌｉｔｕｄｅ  Ｍｏｄｕｌａｔｉｏｎ：６４直交振幅変調）等のような変調方式のうち制御部１１から指示された変調方式で、ターボ符号部２１１により符号化された情報データを変調して、変調シンボルの信号系列を出力する。共有データチャネルＳ／Ｐ部２１３は、データ変調部２１２が出力した直列的な信号系列（ストリーム）を並列的な信号系列に変換する。
【００８４】
各下りリンク制御チャネル処理部２２０は、無線リソース割り当て情報、移動局識別子などの情報からなる移動局装置２に個別の１個またはそれ以上の移動局装置個別データをＯＦＤＭ方式で伝送するためのベースバンド処理を行う。
畳み込み符号部２２１は、制御部１１からの符号化率の指示に従い、移動局装置個別データの誤り耐性を高めるための畳み込み符号化を行う。ここで、移動局装置個別データはビット単位で表現され、畳み込み符号部２２１は、制御部１１からの符号化率の指示に従い、畳み込み符号化処理を行なったビットに対して出力ビットの数を調整するためにレートマッチングも行う。
【００８５】
ＱＰＳＫ変調部２２２は、符号化された移動局装置個別データをＱＰＳＫ変調方式で変調して、変調シンボルの信号系列を出力する。
制御チャネルＳ／Ｐ部２２３は、ＱＰＳＫ変調部２２２が出力した直列的な信号系列を並列的な信号系列に変換する。
【００８６】
ＣＣＥ集合処理部２５０は、制御チャネルＳ／Ｐ部２２３が出力した１個またはそれ以上の下りリンク制御チャネルの信号を、制御部１１から指定された制御チャネルエレメントに対してその制御チャネルエレメントの数の指示に従い、制御チャネルエレメントへ多重するために並び替える処理を行う。１個またはそれ以上の下りリンク制御チャネルの信号の制御チャネルエレメントへの多重の詳細な説明は後述する。
ＣＣＥ集合処理部２５０は、ブロックインタリーバーを備え、サブバンド毎に制御チャネルエレメントに配置する下りリンク制御チャネルの信号をリソースエレメントグループ単位でインタリーブを行う。なお、１個の制御チャネルエレメントはリソースエレメントグループ単位でインタリーブが行なわれた９個のリソースエレメントグループにより構成され、制御チャネルＳ／Ｐ部２２３が出力した各下りリンク制御チャネルの信号が後述の多重部２３０において分散した複数のリソースエレメントグループに多重される。
【００８７】
複数設けた制御情報数インディケーター生成部２６０の各々は、複数の移動局装置の移動局装置個別データの個数、つまり１個の移動局装置２に同時に割り当てる下りリンク制御チャネルの個数を示す制御情報数インディケーターを生成する。制御情報数インディケーターは、下りリンク制御チャネルにおいて移動局装置個別データを構成する各種制御データフォーマットとは情報量が異なる。
制御情報数インディケーター生成部２６０は、移動局装置個別データの個数を示すビット系列に対して予め決められた生成多項式を用いてＣＲＣ符号を生成し、制御情報数インディケーターを用いて移動局装置個別データの個数を示す移動局装置２の移動局識別子と生成したＣＲＣ符号との排他的論理和をとった情報（ＣＲＣ  ｍａｓｋｅｄ  ｂｙ  ＵＥ  ＩＤ）と前記ビット系列に対して畳み込み符号化を行い、ＱＰＳＫ変調を行い、制御情報数インディケーターの信号を生成する。なお、制御情報数インディケーターの信号は、制御部１１から指定された制御チャネルエレメントに対して、前述のＣＣＥ集合処理部２５０と同様に、多重部２３０において分散した複数のリソースエレメントグループに多重される。
【００８８】
パイロットチャネル処理部２４０は、移動局装置２において既知の信号である下りリンクパイロットチャネルの信号を生成し、多重部２３０に出力する。
【００８９】
多重部２３０は、パイロットチャネル処理部２４０が出力した信号と、制御情報数インディケーター生成部２６０が出力した信号と、ＣＣＥ集合処理部２５０が出力した信号と、下りリンク共有データチャネル処理部２１０が出力した信号とを、制御部１１が決定した割り当てとに基づき下りリンク無線フレームに多重する。このとき、制御情報数インディケーターと、下りリンク制御チャネルと、下りリンク共有データチャネルとを割り当てる移動局装置２の移動局識別子が参照される。
なお、下りリンク共有データチャネルと下りリンク制御チャネル間の多重は図１に示したように時間多重で行う。また、下りリンクパイロットチャネルと、その他のチャネル間の多重は時間・周波数多重で行う。また、制御情報数インディケーターと下りリンク制御チャネルの多重は制御チャネルエレメント単位で時間・周波数多重で行なう。多重部２３０の制御情報数インディケーターと同一の移動局装置２に割り当てる１個またはそれ以上の下りリンク制御チャネルの制御チャネルエレメントへの多重処理の詳細については後述する。
【００９０】
ＩＦＦＴ部２０１は、多重部２３０が多重化した信号を高速逆フーリエ変換し、ＯＦＤＭ方式の変調を行う。
ＧＩ挿入部２０２は、ＩＦＦＴ部２０１によりＯＦＤＭ方式の変調済みの信号にガードインターバルを付加することで、ＯＦＤＭ方式におけるシンボルからなるベースバンドのディジタル信号を生成する。ガードインターバルは、伝送するシンボルの先頭又は末尾の一部を複製することによって生成される。
【００９１】
Ｄ／Ａ部２０３は、ＧＩ挿入部２０２から入力されたベースバンドのディジタル信号をアナログ信号に変換する。
送信ＲＦ部２０４は、入力されたアナログ信号から、中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送信アンテナを介して送信する。
【００９２】
つまり、ＩＦＦＴ部２０１とＧＩ挿入部２０２とＤ／Ａ部２０３と送信ＲＦ部２０４からなる送信部２００は、多重部２３０で制御チャネルエレメントに多重した制御情報数インディケーター、１個またはそれ以上の下りリンク制御チャネル等を送信アンテナを介して送信する。なお、本発明とは関連性がないため、基地局装置１の受信処理部１３の詳細説明は省略する。
【００９３】
図８は、本発明の第一の実施形態における移動局装置２の構成を示す概略ブロック図である。図８に示すように、移動局装置２は、制御部２０、受信処理部２１、送信処理部２２を有する。
【００９４】
受信処理部２１は、基地局装置１から信号を受信し、制御部２０より入力される自移動局装置２の移動局識別子に基づき移動局個別探索領域内の制御チャネルエレメントを用いて制御情報数インディケーターの復号を行ない、自移動局装置２宛ての移動局装置個別データの個数の検出を行なう。自移動局装置２宛ての移動局装置個別データの個数を示す制御情報数インディケーターを検出した場合、移動局個別探索領域内のその他の制御チャネルエレメントを用いて、下りリンク制御チャネルの復号を行ない、制御情報数インディケーターに示された個数の自移動局装置２宛ての下りリンク制御チャネルの検出を行なう。制御情報数インディケーターの検出と１個またはそれ以上の下りリンク制御チャネルの検出の詳細については後述する。
【００９５】
受信処理部２１は、自移動局装置２宛ての１個またはそれ以上の下りリンク制御チャネルを検出した場合は、１個またはそれ以上の下りリンク制御チャネルから取得した移動局装置個別データを制御部２０に出力する。また、受信処理部２１は、自移動局装置２宛ての下りリンク共有データチャネルを復号して得た情報データを図示しない上位層の処理装置に出力する。
【００９６】
制御部２０は、基地局装置１より下りリンク制御チャネル、下りリンク共有データチャネルを用いて通知された制御データに基づいて、送信処理部２２、受信処理部２１を制御する。また、制御部２０は、事前に基地局装置１より割り当てられた移動局識別子を受信処理部２１に出力する。
具体的には、初期通信接続時に移動局装置２は基地局装置１と通信を行ない、その手順の中で移動局識別子が基地局装置１から移動局装置２に通知される。
【００９７】
送信処理部２２は、制御部２０の指示に従い、情報データ、制御データを符号化し、変調した信号を基地局装置１に送信アンテナを介して送信する。
【００９８】
図９は、本発明の第一の実施形態における移動局装置２の受信処理部２１の内部構成を示す概略ブロック図である。移動局装置２の受信処理部２１は、受信ＲＦ部３０１と、Ａ／Ｄ（アナログディジタル変換）部３０２と、シンボルタイミング検出部３０３と、ＧＩ除去部３０４と、ＦＦＴ部３０５と、多重分離部３２０と、チャネル推定部３４０と、チャネル補償部３３０（下りリンク共有データチャネル用）と、Ｐ／Ｓ（Ｐａｒａｌｌｅｌ／Ｓｅｒｉａｌ；並直列変換）部３５０と、データ復調部３８０と、ターボ復号部３９０と、チャネル補償部３６０（制御情報数インディケーターと下りリンク制御チャネル用）と、開始ＣＣＥ選択部４１０と、ＣＣＥ再構成部３７０と、制御情報数インディケーター検出部４００と、ＣＣＥ選択部３１１と、ＱＰＳＫ復調部３１２と、ビタビデコーダ部３１３と、ＣＲＣ検査部３１４を有する。なお、ＣＣＥ選択部３１１と、ＱＰＳＫ復調部３１２と、ビタビデコーダ部３１３と、ＣＲＣ検査部３１４を総称して制御チャネル復号部３１０という。また、受信ＲＦ部３０１、Ａ／Ｄ部３０２、ＧＩ除去部３０４、ＦＦＴ部３０５、シンボルタイミング検出部３０３を総称して受信部３００という。
【００９９】
受信ＲＦ部３０１は、受信アンテナで受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。
【０１００】
Ａ／Ｄ部３０２は、直交復調されたアナログ信号をディジタル信号に変換する。シンボルタイミング検出部３０３は、Ａ／Ｄ部３０２の出力したディジタル信号に基づいて、シンボル境界のタイミングを検出し、検出したシンボル境界のタイミングを指示する制御信号を出力する。
【０１０１】
ＧＩ除去部３０４は、シンボルタイミング検出部３０３からの制御信号に基づいて、Ａ／Ｄ部３０２の出力したディジタル信号からガードインターバルに相当する部分を除去し、残りの信号を出力する。ＦＦＴ部３０５は、ＧＩ除去部３０４が出力した信号を高速フーリエ変換し、ＯＦＤＭ方式の復調を行う。
【０１０２】
すなわち、受信ＲＦ部３０１とＡ／Ｄ部３０２とＧＩ除去部３０４とＦＦＴ部３０５とシンボルタイミング検出部３０３とからなる受信部３００は受信アンテナを介して基地局装置１からの信号を受信する。
【０１０３】
多重分離部３２０は、制御部２０からの指示に基づき、ＦＦＴ部３０５が復調した信号を、下りリンク制御チャネルと制御情報数インディケーターが配置される時間・周波数領域の信号と、下りリンク共有データチャネルが配置される時間・周波数領域の信号とに分離して、チャネル補償部３６０とチャネル補償部３３０に出力する。
【０１０４】
詳細には、多重分離部３２０は、制御情報数インディケーターと下りリンク制御チャネルが配置されるリソースエレメント（制御チャネルエレメントを構成するもの）の信号をチャネル補償部３６０に出力し、下りリンク共有データチャネルが配置されるリソースエレメントの信号をチャネル補償部３３０に出力する。なお、ここでは説明を省略しているが、受信した制御フォーマットインディケータチャネルに示された下りリンク制御チャネルのＯＦＤＭシンボル数に基づいて制御部２０が多重分離部３２０を制御する。なお、制御情報数インディケーターと下りリンク制御チャネルは同じＯＦＤＭシンボルに多重される。
【０１０５】
チャネル推定部３４０は、図示しない受信した参照信号（下りリンクパイロットチャネル）と送信時の参照信号の規定値（予め移動局装置２に通知されている）とを用いてチャネルの状況を推定し、チャネル変動を補償するように、振幅および位相を調整するための制御信号を出力する。この制御信号はサブキャリア毎に出力される。なお、図示を省略しているが、多重分離部３２０は、下りリンクパイロットチャネルが配置されるリソースエレメントを分離し、チャネル推定部３４０に出力する。
【０１０６】
チャネル補償部３３０は、多重分離部３２０が分離した下りリンク共有データチャネルが配置されるリソースエレメントの信号の振幅および位相を、チャネル推定部３４０からの制御信号に従って、サブキャリア毎に調整する。
【０１０７】
Ｐ／Ｓ部３５０は、チャネル補償部３３０が調整した並列的な信号系列を直列の信号系列に変換する。
データ復調部３８０は、Ｐ／Ｓ部３５０が変換した下りリンク共有データチャネルの信号の復調を行う。この復調は、基地局装置１のデータ変調部２１２で用いた変調方式に対応した復調である。また、ハイブリッド自動再送ＨＡＲＱ（Ｈｙｂｒｉｄ  Ａｕｔｏｍａｔｉｃ  Ｒｅｐｅａｔ  ｒｅＱｕｅｓｔ）として、チェース合成（Ｃｈａｓｅ  ｃｏｍｂｉｎｉｎｇ）法を用いているときは、誤りを検出したデータチャネルと再送信されたデータチャネルの合成をデータ復調部３８０が行う。
【０１０８】
ターボ復号部３９０は、データ復調部３８０が復調した下りリンク共有データチャネルから、情報データを復号する。また、ハイブリッド自動再送ＨＡＲＱとして、増加冗長（Ｉｎｃｒｅｍｅｎｔａｌ  Ｒｅｄｕｎｄａｎｃｙ）法を用いているときは、誤りを検出した下りリンク共有データチャネルと再送信された下りリンク共有データチャネルとを併せた復号をターボ復号部３９０が行う。
【０１０９】
チャネル補償部３６０は、多重分離部３２０が分離した制御情報数インディケーターと下りリンク制御チャネルが配置されるリソースエレメント（制御チャネルエレメント）の信号の振幅および位相を、チャネル推定部３４０からの情報に従って調整する。
【０１１０】
開始ＣＣＥ選択部４１０は、制御部２０から入力される移動局識別子を入力としたハッシュ関数に基づいて、制御情報数インディケーターの検出を開始する制御チャネルエレメントの開始ポイントインデックスを選択する。
また、開始ＣＣＥ選択部４１０は、ＣＣＥ集合数毎に選択した制御チャネルエレメントの開始ポイントインデックスと移動局識別子に応じて決定される移動局個別探索領域とを制御情報数インディケーター検出部４００に出力する。
【０１１１】
ＣＣＥ再構成部３７０は、基地局装置１のブロックインタリーバーが行うインタリーブ処理の逆処理を行なうブロックデインタリーバーを備え、選択したサブバンド内において、リソースエレメントグループ単位でデインタリーブを行なう。ＣＣＥ再構成部３７０は、デインタリーブを行なった番号の連続する９個のリソースエレメントグループから１個の制御チャネルエレメントを再構成し、全ての制御チャネルエレメントを番号の低い順番に制御情報数インディケーター検出部４００とＣＣＥ選択部３１１に出力する。
【０１１２】
制御情報数インディケーター検出部４００は、ＣＣＥ再構成部３７０から入力される制御チャネルエレメントに対して開始ＣＣＥ選択部４１０から入力される制御チャネルエレメントの開始ポイントインデックスと移動局個別探索領域とに基づいて移動局個別探索領域内の制御チャネルエレメントで制御情報数インディケーターの検出を行なう。
制御情報数インディケーター検出部４００は、ＣＣＥ集合数の制御チャネルエレメント単位で制御情報数インディケーターの検出を行なう。制御情報数インディケーター検出部４００は、制御チャネルエレメントに配置された信号に対してＱＰＳＫ復調を行い、ＱＰＳＫ復調した信号に対してビタビデコーディングを行なう。なお、制御情報数インディケーター検出部４００は、ＣＣＥ集合数毎に固定の符号化率でビタビデコーディングを行なう。
【０１１３】
次に、制御情報数インディケーター検出部４００は、ビタビデコーディングを行なったビット系列に対して移動局識別子を用いてＣＲＣ（ＣＲＣ  ｍａｓｋｅｄ  ｂｙ  ＵＥ  ＩＤ）チェックを行なう。
次に、制御情報数インディケーター検出部４００は、ＣＲＣ（ＣＲＣ  ｍａｓｋｅｄ  ｂｙ  ＵＥ  ＩＤ）チェックにより誤りが検出されなかった場合、ＣＲＣ符号を除くビット系列を確認して、自移動局装置２宛ての移動局装置個別データの個数を判断する。制御情報数インディケーター検出部４００は、自移動局装置２宛ての制御情報数インディケーターを検出した場合、ＣＣＥ選択部３１１に制御情報数インディケーターを検出した制御チャネルエレメントの番号と移動局個別探索領域の制御チャネルエレメントの範囲を示す情報と自移動局装置２宛ての移動局装置個別データの個数を示す情報と共に、処理を開始するように指示をする制御信号を出力する。
【０１１４】
なお、制御情報数インディケーター検出部４００は、ＣＲＣチェックにより誤りは検出されなかったが、ＣＲＣ符号を除くビット系列が予測しない系列、つまり無線通信システムで予め定義されていない系列であった場合、自移動局装置２宛ての制御情報数インディケーターを検出したと判断せず、移動局個別探索領域内のその他の制御チャネルエレメントで制御情報数インディケーターの検出を引き続き行なう。
制御情報数インディケーター検出部４００は、ＣＲＣチェックにより誤りが検出された場合、移動局個別探索領域内のその他の制御チャネルエレメントで制御情報数インディケーターの検出を引き続き行なう。
さらに、制御情報数インディケーターの検出を行ったＣＣＥ集合数の移動局個別探索領域内で制御情報数インディケーターが検出されなかった場合は、次のＣＣＥ集合数の制御チャネルエレメントについて制御情報数インディケーターの検出を行なう。
【０１１５】
ＣＣＥ選択部３１１は、制御情報数インディケーター検出部４００より処理の開始を示す制御信号を入力された場合、制御チャネルエレメントに対して処理を開始する。
ＣＣＥ選択部３１１は、制御情報数インディケーター検出部４００より処理の開始を示す制御信号を入力されなかった場合、制御チャネルエレメントに対して処理を行なわない。
【０１１６】
ＣＣＥ選択部３１１は、制御情報数インディケーター検出部４００より処理の開始を示す制御信号を入力された場合、ＣＣＥ再構成部３７０から入力される制御チャネルエレメントに対して制御情報数インディケーター検出部４００より入力された制御情報数インディケーターを検出した制御チャネルエレメントの番号と移動局個別探索領域の制御チャネルエレメントの範囲に基づいて、制御情報数インディケーター検出部４００より示された個数の下りリンク制御チャネルが配置される候補の制御チャネルエレメントを選択して、制御チャネルエレメントに配置された信号をＱＰＳＫ復調部３１２に出力する。なお、ＣＣＥ選択部３１１は、ＣＣＥ集合数の制御チャネルエレメント単位でＱＰＳＫ復調部３１２に制御チャネルエレメントに配置された信号を出力する。
【０１１７】
ＣＣＥ選択部３１１は、制御情報数インディケーター検出部４００より示された個数の自移動局装置２宛ての下りリンク制御チャネルに含まれる移動局装置個別データ（制御情報）を後段の処理部で検出するまで、移動局個別探索領域内の制御チャネルエレメントの信号をＱＰＳＫ復調部３１２に出力し、自移動局装置２宛ての下りリンク制御チャネルに含まれる移動局装置個別データの検出情報は制御部２０より入力される。制御情報数インディケーターが配置される制御チャネルエレメントと、移動局装置個別データを含む１個またはそれ以上の下りリンク制御チャネルが配置される制御チャネルエレメントの詳細な説明は後述する。
【０１１８】
ＱＰＳＫ復調部３１２は、ＣＣＥ選択部３１１から入力される、１個またはそれ以上の自移動局装置２宛ての下りリンク制御チャネルが配置される候補の制御チャネルエレメントに配置された信号に対してＱＰＳＫ復調を行う。
ビタビデコーダ部３１３は、制御部２０から入力された符号化率に基づいてＱＰＳＫ復調部３１２が復調した信号を復号する。ここで、信号はビット単位で表現され、ビタビデコーダ部３１３は、制御部２０からの符号化率の指示に従い、入力ビットに対してビタビデコーディング処理を行なうビットの数を調整するためにレートデマッチングも行なう。
【０１１９】
ＣＲＣ検査部３１４は、ビタビデコーダ部３１３が復号したビット系列に対してＣＲＣチェックを行う。ＣＲＣ検査部３１４は、このＣＲＣチェックにより誤りが検出されずに、該チェックを通過したビット系列が、誤りなく受信できた自移動局装置２宛ての移動局装置個別データであると認識し、移動局装置個別データを制御部２０に出力する。
【０１２０】
以上のように、下りリンク制御チャネルに対する処理は、制御情報数インディケーターが検出された場合、制御情報数インディケーターを検出した下りリンクのサブフレーム内の移動局個別探索領域内の制御チャネルエレメントに対して行なう。制御情報数インディケーターに示された個数の下りリンク制御チャネルに含まれる自移動局装置２宛ての移動局装置個別データを検出したら、移動局装置２は下りリンク制御チャネルの復号を終了する。
このようにして検出した１個またはそれ以上の下りリンク制御チャネルの移動局装置個別データ内に含まれる情報、例えば下りリンク共有データチャネルの１個またはそれ以上の無線リソース割り当て情報を受けた制御部２０が、多重分離部３２０、データ復調部３８０、ターボ復号部３９０に対して指示することで、当該移動局装置２宛ての下りリンク共有データチャネルの受信処理を行う。
【０１２１】
移動局識別子は、移動局装置個別データ中では、誤り検出用のＣＲＣ符号と併せた情報として配置される。例えば、予め決められた生成多項式を用いて移動局装置個別データからＣＲＣ符号が生成され、該移動局装置個別データの宛先となっている移動局装置２の移動局識別子と排他的論理和をとった情報が下りリンク制御チャネル内に配置される。
ＣＲＣ検査部３１４は、自移動局装置２の移動局識別子を用いて前記操作の逆処理を移動局装置個別データに対して行うことにより、誤り検出と共に自移動局装置２宛ての移動局装置個別データであるかを判定する。
【０１２２】
制御部２０は、ＣＲＣ検査部３１４が出力した１個またはそれ以上の移動局装置個別データに基づき、データ復調部３８０、ターボ復号部３９０、多重分離部３２０、送信処理部２２を制御する。この移動局装置個別データには、無線リソース割り当て情報、変調方式・符号化率、再送パラメータなどが含まれる。また、制御部２０は、ＣＲＣ検査部３１４から移動局装置個別データが入力されたことを示す情報をＣＣＥ選択部３１１に出力する。なお、本発明とは関連性がないため、移動局装置２の送信処理部２２の詳細説明は省略する。
【０１２３】
次に、制御情報数インディケーターと同一の移動局装置２宛ての１個またはそれ以上の下りリンク制御チャネルの制御チャネルエレメントへの配置について詳細に説明する。
【０１２４】
基地局装置１の多重部２３０は、下りリンク制御チャネルを割り当てる移動局装置２の移動局個別探索領域内の何れかの制御チャネルエレメントに制御情報数インディケーターを多重する。次に、基地局装置１の多重部２３０は、制御情報数インディケーターを多重した制御チャネルエレメントの次の番号以降の制御チャネルエレメントであり、移動局個別探索領域内の制御チャネルエレメントに制御情報数インディケーターで示す個数の下りリンク制御チャネルを多重する。また、多重部２３０は下りリンク制御チャネルのＣＣＥ集合数と同一数の制御チャネルエレメントを用いて制御情報数インディケーターを多重する。つまり、下りリンク制御チャネルが２個の制御チャネルエレメントを用いて割り当てられる場合、制御情報数インディケーターも２個の制御チャネルエレメントに多重するように生成し、多重する。
【０１２５】
移動局装置２の制御情報数インディケーター検出部４００は、ＣＣＥ集合数毎に移動局個別探索領域内の制御チャネルエレメントに対して制御情報数インディケーターの検出を行なう。なお、制御情報数インディケーター検出部４００は、制御情報数インディケーターを検出した場合、制御情報数インディケーターを検出したＣＣＥ集合数を示す情報をＣＣＥ選択部３１１に入力する。移動局装置２のＣＣＥ選択部３１１は、制御情報数インディケーターを多重した制御チャネルエレメントの次の番号以降の制御チャネルエレメントであり、移動局個別探索領域内の制御チャネルエレメントをＣＣＥ集合数ずつ順に選択し、自移動局装置２宛ての移動局装置個別データを含む、制御情報数インディケーターで示された個数の下りリンク制御チャネルを検出するまでＱＰＳＫ復調部３１２に出力する。
【０１２６】
図４を用いて一例を説明する。ここでは、ＣＣＥ集合数が２個、移動局個別探索領域を構成する制御チャネルエレメントの数が１０個、制御チャネルエレメントの開始ポイントインデックスがＣＣＥ  ３１（サブバンド２に属する）の場合について説明する。
【０１２７】
基地局装置１の多重部２３０は、ＣＣＥ  ３３とＣＣＥ  ３４の２個の制御チャネルエレメントに制御情報数インディケーターを多重し、ＣＣＥ  ３７とＣＣＥ  ３８の２個の制御チャネルエレメントと、ＣＣＥ  ３９とＣＣＥ  ４０の２個の制御チャネルエレメントに下りリンク制御チャネルを多重する。ここで、制御情報数インディケーターは、２個の下りリンク制御チャネルを同一の移動局装置２に割り当てることを示す。
【０１２８】
移動局装置２の制御情報数インディケーター検出部４００は、ＣＣＥ集合数が２個の場合の移動局個別探索領域を選択し、ＣＣＥ  ３１の制御チャネルエレメントから制御情報数インディケーターの検出を開始し、ＣＣＥ  ３３とＣＣＥ  ３４の２個の制御チャネルエレメントで制御情報数インディケーターを検出する。また、移動局装置２の制御情報数インディケーター検出部４００は、制御情報数インディケーターより自移動局装置２に２個の下りリンク制御チャネルを割り当てられたことを認識し、その情報をＣＣＥ選択部３１１に出力する。
【０１２９】
移動局装置２のＣＣＥ選択部３１１は、ＣＣＥ  ３５の制御チャネルエレメントから２個単位の制御チャネルエレメントを後段の処理部に出力する。後段の処理部で、情報量が異なる複数種類の制御データのフォーマットを想定して下りリンク制御チャネルの復号処理を行なう。移動局装置２は、ＣＣＥ  ３７とＣＣＥ  ３８の２個の制御チャネルエレメントと、ＣＣＥ  ３９とＣＣＥ  ４０の２個の制御チャネルエレメントで自移動局装置２宛ての下りリンク制御チャネルを検出し、下りリンク制御チャネルの復号処理を終了する。
【０１３０】
移動局装置２の制御部２０が自移動局装置２宛ての下りリンク制御チャネルを検出した情報をＣＣＥ選択部３１１に出力し、ＣＣＥ選択部３１１が制御部２０より入力された、後段の処理部で検出した下りリンク制御チャネルの個数と制御情報数インディケーター検出部４００より示された個数とを比較して、示された個数の下りリンク制御チャネルを全て検出したと判断したら、信号の出力を停止する。
【０１３１】
また、移動局装置２の制御情報数インディケーター検出部４００は、ＣＣＥ集合数が２個の場合の移動局個別探索領域で制御情報数インディケーターを検出しなかった場合、ＣＣＥ集合数が１個、４個、８個の場合の移動局個別探索領域に対しても同様に制御情報数インディケーターの検出を行なう。
【０１３２】
なお、移動局装置２の制御情報数インディケーター検出部４００は、どのＣＣＥ集合数から制御情報数インディケーターの検出を開始してもよい。移動局装置２の制御情報数インディケーター検出部４００は、制御情報数インディケーターを検出したら、その他のＣＣＥ集合数で制御情報数インディケーターの検出処理を行なわない。
【０１３３】
図１０は、基地局装置１の送信処理部２２の制御情報数インディケーターと１個またはそれ以上の下りリンク制御チャネルを多重する処理を示すフローチャートである。
始めに、基地局装置１の送信処理部２２は、下りリンク制御チャネルを割り当てる移動局装置２の移動局識別子に基づき開始ポイントインデックスを選択する（ステップＳ１０１）。次に、基地局装置１の送信処理部２２は、選択した開始ポイントインデックスに基づき移動局個別探索領域内の制御チャネルエレメントに制御情報数インディケーターを多重する（ステップＳ１０２）。次に、基地局装置１の送信処理部２２は、移動局個別探索領域内のその他の制御チャネルエレメントに１個またはそれ以上の下りリンク制御チャネルを多重する（ステップＳ１０３）。
【０１３４】
図１１は、移動局装置２の受信処理部２１の制御情報数インディケーターと１個またはそれ以上の下りリンク制御チャネルを検出する処理を示すフローチャートである。
始めに、移動局装置２の受信処理部２１は、自移動局装置２の移動局識別子に基づき開始ポイントインデックスを選択する（ステップＳ２０１）。次に、移動局装置２の受信処理部２１は、選択した開始ポイントインデックスに基づき移動局個別探索領域内の制御チャネルエレメントを用いて制御情報数インディケーターの検出を行なう（ステップＳ２０２）。次に、移動局装置２の受信処理部２１は、制御情報数インディケーターを検出したか否かを判断する（ステップＳ２０３）。
【０１３５】
ステップＳ２０３において、移動局装置２の受信処理部２１は、制御情報数インディケーターを検出しなかったと判断した場合、更に移動局個別探索領域内の全ての制御チャネルエレメントに対して制御情報数インディケーターの検出処理を行なったか否かを判断する（ステップＳ２０４）。
【０１３６】
ステップＳ２０４において、移動局装置２の受信処理部２１は、移動局個別探索領域内の全ての制御チャネルエレメントに対して制御情報数インディケーターの検出処理を行なっていないと判断した場合、ステップＳ２０２に戻り、制御情報数インディケーターの検出処理を行なっていない制御チャネルエレメントを用いて制御情報数インディケーターの検出を行なう。ステップＳ２０４において、移動局装置２の受信処理部２１は、移動局個別探索領域内の全ての制御チャネルエレメントに対して制御情報数インディケーターの検出処理を行なったと判断した場合、処理を終了する。
【０１３７】
ステップＳ２０３において、移動局装置２の受信処理部２１は、制御情報数インディケーターを検出した場合、移動局個別探索領域内のその他の制御チャネルエレメントを用いて１個またはそれ以上の下りリンク制御チャネルの検出を行なう（ステップＳ２０５）。次に、移動局装置２の受信処理部２１は、自移動局装置２宛てであり、制御情報数インディケーターで示された個数の下りリンク制御チャネルを検出したか否かを判断する（ステップＳ２０６）。
【０１３８】
ステップ２０６において、移動局装置２の受信処理部２１は、制御情報数インディケーターで示された個数の下りリンク制御チャネルを検出したと判断した場合、処理を終了する。ステップＳ２０６において、移動局装置２の受信処理部２１は、制御情報数インディケーターで示された個数の下りリンク制御チャネルを検出していないと判断した場合、更に移動局個別探索領域内のその他の全ての制御チャネルエレメントに対して下りリンク制御チャネルの検出処理を行なったか判断する（ステップＳ２０７）。
【０１３９】
ステップＳ２０７において、移動局装置２の受信処理部２１は、移動局個別探索領域内のその他の全ての制御チャネルエレメントに対して下りリンク制御チャネルの検出処理を行なったと判断した場合、処理を終了する。ステップＳ２０７において、移動局装置２の受信処理部２１は、移動局個別探索領域内のその他の全ての制御チャネルエレメントに対して下りリンク制御チャネルの検出処理を行なっていないと判断した場合、ステップＳ２０５に戻り、下りリンク制御チャネルの検出処理を行なっていない制御チャネルエレメントを用いて引き続き下りリンク制御チャネルの検出を行なう。
【０１４０】
以上のように、本発明の第一の実施形態の基地局装置１は、移動局装置個別データを含む下りリンク制御チャネルの個数を示す制御情報数インディケーターを移動局個別探索領域内の制御チャネルエレメントを用いて送信し、移動局個別探索領域内のその他の制御チャネルエレメントを用いて移動局装置個別データを含む１個またはそれ以上の下りリンク制御チャネルを送信する。
【０１４１】
本発明の第一の実施形態の移動局装置２は、移動局個別探索領域内の制御チャネルエレメントに対して制御情報数インディケーターの検出を行ない、制御情報数インディケーターを検出した場合に、制御情報数インディケーターで示された個数の下りリンク制御チャネルを検出するために移動局個別探索領域内のその他の制御チャネルエレメントに対して情報量が異なる複数種類の制御データのフォーマットを想定して下りリンク制御チャネルの復号を行なう。
【０１４２】
これにより、移動局装置２の下りリンク制御チャネルの復号の処理負荷を軽減することができる。特に、下りリンク制御チャネルが割り当てられなかった移動局装置２は、ＣＣＥ集合数毎に一種類の制御情報数インディケーターのみを復号して、検出を行なう処理を行なえばよく、下りリンク制御チャネルの復号の処理負荷を軽減することができる。
また、制御情報数インディケーターを用いることにより、移動局装置２は、下りリンクのサブフレーム毎に可能性のある個数の下りリンク制御チャネルを検出するまで下りリンク制御チャネルの復号を行ない続ける必要がなくなるので、処理負荷を軽減することができる。
【０１４３】
また、第一の実施形態では、制御情報数インディケーターは下りリンク制御チャネルと同様にＱＰＳＫ変調を行い、畳み込み符号化を行って制御情報数インディケーターの送信信号を生成する場合について説明したが、その他の信号構成を用いてもよい。例えば、同時に割り当てる下りリンク制御チャネルの個数を示すビット系列に対してＣＲＣ符号は付加せずにＱＰＳＫ変調を行い、移動局装置２に個別のスクランブリング符号を乗算することで生成してもよい。
移動局装置２は、制御チャネルエレメントの信号に対して自移動局装置２のスクランブリング符号を用いて相関値が予め決められた閾値を超えた場合に、制御情報数インディケーターが検出されたと判断し、制御チャネルエレメントの信号から乗算されたスクランブリング符号を除去してＱＰＳＫ復調するようにしてもよい。
なお、ＱＰＳＫ変調ではなく、ＢＰＳＫ変調を用いてもよい。
【０１４４】
また、第一の実施形態では、移動局装置個別データを含む１個またはそれ以上の下りリンク制御チャネルは、制御情報数インディケーターを多重した制御チャネルエレメントの次の番号以降の制御チャネルエレメントであり、移動局個別探索領域内の何れかの制御チャネルエレメントに多重する場合について説明したが、特定の制御チャネルエレメントに下りリンク制御チャネルを多重するように予め限定してもよい。例えば、制御情報数インディケーターを多重した制御チャネルエレメントの次の番号の制御チャネルエレメントから１個またはそれ以上の下りリンク制御チャネルを多重するように予め限定してもよい。
これにより、移動局装置２の下りリンク制御チャネルの復号の処理負荷を軽減することができる。
【０１４５】
また、同時に割り当てる下りリンク制御チャネルの個数に応じて下りリンク制御チャネルを多重する制御チャネルエレメントの領域（移動局個別探索領域）を制御してもよい。
図４を用いて一例を説明する。ここでは、ＣＣＥ集合数が２個、移動局個別探索領域を構成する制御チャネルエレメントの数が１０個、制御チャネルエレメントの開始ポイントインデックスがＣＣＥ  ２５（サブバンド２に属する）の場合について説明する。
【０１４６】
例えば、基地局装置１の多重部２３０は、２個の下りリンク制御チャネルを移動局装置２に割り当てる場合、ＣＣＥ  ３４までの制御チャネルエレメントに２個の制御チャネルエレメントから構成する２個の下りリンク制御チャネルを多重する。
【０１４７】
移動局装置２の制御情報数インディケーター検出部４００は、制御情報数インディケーターで２個の下りリンク制御チャネルが割り当てられることを示された場合、２個の制御チャネルエレメントから構成される２個の下りリンク制御チャネルを復号検出するためにＣＣＥ  ３４までの制御チャネルエレメントの信号を後段の処理部に出力するようにＣＣＥ選択部３１１に指示する。つまり、この場合、移動局個別探索領域の拡張は行わない。
【０１４８】
基地局装置１の多重部２３０は、４個の下りリンク制御チャネルを移動局装置２に割り当てる場合、ＣＣＥ  ４０までの制御チャネルエレメントに２個の制御チャネルエレメントから構成する４個の下りリンク制御チャネルを多重する。
【０１４９】
移動局装置２の制御情報数インディケーター検出部４００は、制御情報数インディケーターで４個の下りリンク制御チャネルが割り当てられることを示された場合、２個の制御チャネルエレメントから構成される４個の下りリンク制御チャネルを復号検出するためにＣＣＥ  ４０までの制御チャネルエレメントの信号を後段の処理部に出力するようにＣＣＥ選択部３１１に指示する。つまり、この場合、移動局個別探索領域の拡張を行う。
同時に割り当てる下りリンク制御チャネルが多い移動局装置２に対して下りリンク制御チャネルの復号の処理負荷を追加して、下りリンク制御チャネルの多重の自由度を増加させる。
【０１５０】
これにより、同時に割り当てる下りリンク制御チャネルの個数に応じて移動局装置２の下りリンク制御チャネルの復号の処理負荷と下りリンク制御チャネルの多重の自由度を制御することができる。
なお、同時に割り当てる下りリンク制御チャネルの個数に応じて下りリンク制御チャネルを多重する制御チャネルエレメントの領域（移動局個別探索領域）を制御する場合に、ＣＣＥ集合数毎に制御する制御チャネルエレメントの数を異なるようにしてもよい。
【０１５１】
また、第一の実施形態では、制御情報数インディケーターは、移動局個別探索領域内の制御チャネルエレメントの何れかの制御チャネルエレメントに多重する場合について説明したが、特定の制御チャネルエレメントに制御情報数インディケーターを多重するように予め限定してもよい。例えば、移動局個別探索領域内の最初の番号の制御チャネルエレメントに制御情報数インディケーターを多重するように予め限定してもよい。
これにより、移動局装置２の制御情報数インディケーターの検出の処理負荷を軽減することができる。
【０１５２】
また、制御情報数インディケーターを特定の数のＣＣＥ集合数のみに多重してもよい。つまり、制御情報数インディケーターは特定の数の制御チャネルエレメントに配置されてもよい。例えば、下りリンク制御チャネルのＣＣＥ集合数がＣＣＥ集合１（１個の制御チャネルエレメントにより構成される）、ＣＣＥ集合２（２個の制御チャネルエレメントにより構成される）、ＣＣＥ集合４（４個の制御チャネルエレメントにより構成される）、ＣＣＥ集合８（８個の制御チャネルエレメントにより構成される）の場合、制御情報数インディケーターはＣＣＥ集合１、ＣＣＥ集合４にのみ多重するようにする。
【０１５３】
基地局装置１は、ＣＣＥ集合１で構成される１個またはそれ以上の下りリンク制御チャネルを移動局装置２に割り当てる場合、またはＣＣＥ集合２で構成される１個またはそれ以上の下りリンク制御チャネルを移動局装置２に割り当てる場合、制御情報数インディケーターをＣＣＥ集合１に多重し、ＣＣＥ集合４で構成される１個またはそれ以上の下りリンク制御チャネルを移動局装置２に割り当てる場合、またはＣＣＥ集合８で構成される１個またはそれ以上の下りリンク制御チャネルを移動局装置２に割り当てる場合、制御情報数インディケーターをＣＣＥ集合４に多重する。
【０１５４】
移動局装置２は、ＣＣＥ集合１で制御情報数インディケーターを検出した場合、ＣＣＥ集合１とＣＣＥ集合２で割り当てられた１個またはそれ以上の下りリンク制御チャネルを復号検出する処理を行ない、ＣＣＥ集合４で制御情報数インディケーターを検出した場合、ＣＣＥ集合４とＣＣＥ集合８で割り当てられた１個またはそれ以上の下りリンク制御チャネルを復号検出する処理を行なう。
【０１５５】
また、制御情報数インディケーターに、下りリンク制御チャネルのＣＣＥ集合数に関する情報を含むようにしてもよい。
これにより、制御情報数インディケーターと下りリンク制御チャネルのＣＣＥ集合数を同一にする制約は解除される。
【０１５６】
制御情報数インディケーターのＣＣＥ集合数、つまり１個の制御情報数インディケーターの多重に用いる制御チャネルエレメントの数を予め限定し、移動局装置２は限定されたＣＣＥ集合数でのみ制御情報数インディケーターを検出するようにすることができる。
これにより、移動局装置２の制御情報数インディケーターの検出処理の負荷を軽減することができる。
【０１５７】
（第二の実施形態）
以下、本発明の第二の実施形態として、制御情報数インディケーターに同一の移動局装置２に割り当てるサブバンド毎の移動局装置個別データの個数、つまり下りリンク制御チャネルの個数を示す情報を構成する場合について説明する。
第二の実施形態においては、図１２に示す基地局装置１の送信処理部１２ａ内の制御情報数インディケーター生成部２６１と、図１３に示す移動局装置２の受信処理部２１ａ内の制御情報数インディケーター検出部４０１の機能が異なり、その他の構成は第一の実施形態と同様であるため、説明を省略する。
【０１５８】
基地局装置１の制御情報数インディケーター生成部２６１は、同一の移動局装置２に割り当てるサブバンド毎の下りリンク制御チャネルの個数を示す情報を含めた制御情報数インディケーターを生成する。なお、同一の移動局装置２に割り当てるサブバンド毎の下りリンク制御チャネルの個数は基地局装置１の制御部１１より指定される。
【０１５９】
移動局装置２の制御情報数インディケーター検出部４０１は、移動局個別探索領域内の制御チャネルエレメントで自移動局装置２宛ての制御情報数インディケーターを検出した場合、制御情報数インディケーターを検出した制御チャネルエレメントの番号と、移動局個別探索領域の制御チャネルエレメントの範囲を示す情報と、制御情報数インディケーターを検出したＣＣＥ集合数と、制御情報数インディケーターにより示されるサブバンド毎の自移動局装置２宛ての移動局装置個別データの個数を示す情報と共に、処理を開始するように指示をする制御信号をＣＣＥ選択部３１１に出力する。
【０１６０】
ＣＣＥ選択部３１１は、制御情報数インディケーター検出部４０１から入力された制御信号に基づいて選択したサブバンド毎の制御チャネルエレメントの信号を後段の処理部に出力する。
【０１６１】
図４を用いて、第二の実施形態の一例を説明する。ＣＣＥ集合数が２個、移動局個別探索領域を構成する制御チャネルエレメントの数が１０個、制御チャネルエレメントの開始ポイントインデックスがＣＣＥ  ３１（サブバンド２に属する）の場合について説明する。
【０１６２】
基地局装置１の制御部１１は、移動局装置個別データを含むＣＣＥ集合数が２個で構成される４個の下りリンク制御チャネルの信号をＣＣＥ  ３５とＣＣＥ  ３６、ＣＣＥ  ５１とＣＣＥ  ５２、ＣＣＥ  ５３とＣＣＥ  ５４、ＣＣＥ  ９５とＣＣＥ  ９６の制御チャネルエレメントに多重することを指定し、送信処理部２２に下りリンク制御チャネルを多重する制御チャネルエレメントに関する情報を含む制御信号を出力する。また、基地局装置１の制御部１１は、制御情報数インディケーターをＣＣＥ  ３３とＣＣＥ  ３４の制御チャネルエレメントに多重することを指定し、送信処理部２２に制御情報数インディケーターを多重する制御チャネルエレメントに関する情報を含む制御信号を出力する。
【０１６３】
基地局装置１の制御情報数インディケーター生成部２６１は、制御部１１より入力された制御信号に基づいてサブバンド１で割り当てた下りリンク制御チャネルが０個、サブバンド２で割り当てた下りリンク制御チャネルが１個、サブバンド３で割り当てた下りリンク制御チャネルが２個、サブバンド４で割り当てた下りリンク制御チャネルが０個、サブバンド５で割り当てた下りリンク制御チャネルが１個を示す制御情報数インディケーターを生成し、多重部２３０に出力する。
【０１６４】
基地局装置１の多重部２３０は、ＣＣＥ  ３３とＣＣＥ  ３４の制御チャネルエレメントに制御情報数インディケーター生成部２６１より入力された制御情報数インディケーターの信号を多重し、ＣＣＥ  ３５とＣＣＥ  ３６、ＣＣＥ  ５１とＣＣＥ  ５２、ＣＣＥ  ５３とＣＣＥ  ５４、ＣＣＥ  ９５とＣＣＥ  ９６の制御チャネルエレメントに同一の移動局装置２宛ての４個の下りリンク制御チャネルの信号を多重する。
【０１６５】
移動局装置２の制御情報数インディケーター検出部４０１は、移動局個別探索領域であるＣＣＥ  ３１、ＣＣＥ  ３２、ＣＣＥ  ３３、ＣＣＥ  ３４、ＣＣＥ  ３５、ＣＣＥ  ３６、ＣＣＥ  ３７、ＣＣＥ  ３８、ＣＣＥ  ３９、ＣＣＥ  ４０の２個毎の制御チャネルエレメントに対して制御情報数インディケーターの検出処理を行ない、ＣＣＥ  ３３とＣＣＥ  ３４の制御チャネルエレメントで制御情報数インディケーターを検出する。
【０１６６】
制御情報数インディケーターを検出した制御情報数インディケーター検出部４０１は、制御情報数インディケーターに含まれたサブバンド１で割り当てた下りリンク制御チャネルが０個、サブバンド２で割り当てた下りリンク制御チャネルが１個、サブバンド３で割り当てた下りリンク制御チャネルが２個、サブバンド４で割り当てた下りリンク制御チャネルが０個、サブバンド５で割り当てた下りリンク制御チャネルが１個を示す情報と、制御情報数インディケーターを検出した制御チャネルエレメントであるＣＣＥ  ３３とＣＣＥ  ３４を示す情報と、移動局個別探索領域がＣＣＥ  ３１〜ＣＣＥ  ４０であることを示す情報と、制御情報数インディケーターを検出したＣＣＥ集合数がＣＣＥ集合２であることを示す情報と共に、処理を開始するように指示する制御信号をＣＣＥ選択部３１１に出力する。
【０１６７】
ＣＣＥ選択部３１１は、制御情報数インディケーター検出部４０１から入力された制御信号に基づき、サブバンド２においてＣＣＥ  ３５〜ＣＣＥ  ４０、サブバンド３においてＣＣＥ  ５１〜ＣＣＥ  ６０、サブバンド５においてＣＣＥ  ９１〜ＣＣＥ  １００の２個毎の制御チャネルエレメントの信号を後段の処理部に出力する。ＣＣＥ選択部３１１は、制御情報数インディケーターを検出したサブバンドの制御チャネルエレメントの信号を後段の処理部に出力する場合、移動局個別探索領域内であり、制御情報数インディケーターを検出した制御チャネルエレメントの番号以降の制御チャネルエレメントの信号を後段の処理部に出力する。
【０１６８】
ＣＣＥ選択部３１１は、制御情報数インディケーターを検出していないサブバンドの制御チャネルエレメントの信号を後段の処理部に出力する場合、サブバンド内において制御チャネルエレメントの番号が移動局個別探索領域の制御チャネルエレメントと相対的に同じ制御チャネルエレメントの信号を後段の処理部に出力する。移動局個別探索領域の制御チャネルエレメントであるＣＣＥ  ３１〜ＣＣＥ  ４０はサブバンド２内において制御チャネルエレメントの番号が１１番目から２０番目の制御チャネルエレメントである。従って、ＣＣＥ選択部３１１は、サブバンド３内において制御チャネルエレメントの番号が１１番目から２０番目の制御チャネルエレメントであるＣＣＥ  ５１〜ＣＣＥ  ６０の制御チャネルエレメントの信号、サブバンド５内において制御チャネルエレメントの番号が１１番目から２０番目の制御チャネルエレメントであるＣＣＥ  ９１〜ＣＣＥ  １００の制御チャネルエレメントの信号を後段の処理部に出力する。
【０１６９】
このように、サブバンド内において制御チャネルエレメントの順番が同じ、異なるサブバンド間の制御チャネルエレメントの関係をサブバンド内において制御チャネルエレメントの番号が相対的に同じ関係と言う。後段の処理部を介して、移動局装置２の制御部２０は、サブバンド２のＣＣＥ  ３５とＣＣＥ  ３６の制御チャネルエレメントで自移動局装置２宛ての１個の下りリンク制御チャネルに含まれる移動局装置個別データを、サブバンド３のＣＣＥ  ５１とＣＣＥ  ５２、ＣＣＥ  ５３とＣＣＥ  ５４の制御チャネルエレメントで自移動局装置２宛ての２個の下りリンク制御チャネルに含まれる移動局装置個別データを、サブバンド５のＣＣＥ  ９５とＣＣＥ  ９６の制御チャネルエレメントで自移動局装置２宛ての１個の下りリンク制御チャネルに含まれる移動局装置個別データを取得する。
【０１７０】
制御部２０は、下りリンク制御チャネルに含まれる移動局装置個別データを取得した場合、移動局装置個別データを取得したことを示す情報と共に下りリンク制御チャネルが属するサブバンドの番号を示す情報をＣＣＥ選択部３１１に出力する。
【０１７１】
ＣＣＥ選択部３１１は、制御部２０より入力された情報と制御情報数インディケーター検出部４０１より入力された情報に基づき、サブバンド内において割り当てられた下りリンク制御チャネルの全てを検出した場合、そのサブバンド内において未だ下りリンク制御チャネルの復号検出の処理を行なっていない制御チャネルエレメントの信号を後段の処理部に出力することを停止する。
【０１７２】
移動局装置２は、取得した各下りリンク制御チャネルの移動局装置個別データに含まれる下りリンク共有データチャネルの無線リソース割り当て情報に基づき、下りリンク共有データチャネルに含まれる情報データを取得する。
【０１７３】
以上のように、本発明の第二の実施形態は、制御情報数インディケーターに同一の移動局装置２に割り当てるサブバンド毎の移動局装置個別データの個数、つまり下りリンク制御チャネルの個数を示す情報を含む。これにより、下りリンク制御チャネルの復号に伴う処理は増加するが、下りリンク制御チャネルの多重の自由度を増大することができる。
【０１７４】
また、制御情報数インディケーターを多重しないサブバンド内において下りリンク制御チャネルの信号を多重する制御チャネルエレメントを、移動局個別探索領域の制御チャネルエレメントとサブバンド内において制御チャネルエレメントの番号が相対的に同じ制御チャネルエレメントの何れかにするのではなく、特定の制御チャネルエレメントから１個またはそれ以上の下りリンク制御チャネルを多重するようにしてもよい。
例えば、制御情報数インディケーターを多重しないサブバンド内において制御情報数インディケーターが多重された制御チャネルエレメントと制御チャネルエレメントの番号が相対的に同じ制御チャネルエレメントから１個またはそれ以上の下りリンク制御チャネルを多重するようにしてもよい。
【０１７５】
説明の簡略化のため、第二の実施形態の上記の図４を用いて一例の説明を流用する。制御情報数インディケーターがサブバンド２内において制御チャネルエレメントの番号が１３番目のＣＣＥ  ３３から２個の制御チャネルエレメントを用いて多重される場合、サブバンド３内において２個の下りリンク制御チャネルを制御チャネルエレメントの番号が１３番目のＣＣＥ  ５３から４個の制御チャネルエレメントを用いて多重されるようにしてもよい。
【０１７６】
また、どのサブバンドにおいても制御情報数インディケーターが多重される制御チャネルエレメントの次の番号の制御チャネルエレメントと制御チャネルエレメントの番号が相対的に同じ制御チャネルエレメントから１個またはそれ以上の下りリンク制御チャネルを多重するようにしてもよい。
【０１７７】
なお、図４と異なる制御チャネルエレメントの番号付けを用いてもよい。図１４は、本発明の第二の実施形態におけるシステム帯域内の制御チャネルエレメントの番号付けを説明する図である。図１４では、システム帯域内に５個のサブバンドが構成され、各サブバンドに２０個の制御チャネルエレメントが構成される場合について示す。図１４のサブバンドの数、制御チャネルエレメントの数は図４と同じである。また、図１４の周波数領域においては、サブバンド１＜サブバンド２＜サブバンド３＜サブバンド４＜サブバンド５の順で周波数が低いものとする。
【０１７８】
基地局装置１は、先ず、サブバンド１において前述のブロックインタリーバーにより、リソースエレメントをインタリーブする。基地局装置１は、それぞれ９個のリソースエレメントグループから構成される制御チャネルエレメントに対してブロックインタリーバーから出力された順番にＣＣＥ  １、ＣＣＥ  ２、ＣＣＥ  ３、ＣＣＥ  ４、ＣＣＥ  ５、ＣＣＥ  ６、ＣＣＥ  ７、ＣＣＥ  ８、ＣＣＥ  ９、ＣＣＥ  １０、ＣＣＥ  １１、ＣＣＥ  １２、ＣＣＥ  １３、ＣＣＥ  １４、ＣＣＥ  １５、ＣＣＥ  １６、ＣＣＥ  １７、ＣＣＥ  １８、ＣＣＥ  １９、ＣＣＥ  ２０と番号付けが行なわれる。
【０１７９】
更に、サブバンドの番号付けも同様に行ない、ＣＣＥ（１，１）、ＣＣＥ（１，２）、ＣＣＥ（１，３）、ＣＣＥ（１，４）、ＣＣＥ（１，５）、ＣＣＥ（１，６）、ＣＣＥ（１，７）、ＣＣＥ（１，８）、ＣＣＥ（１，９）、ＣＣＥ（１，１０）、ＣＣＥ（１，１１）、ＣＣＥ（１，１２）、ＣＣＥ（１，１３）、ＣＣＥ（１，１４）、ＣＣＥ（１，１５）、ＣＣＥ（１，１６）、ＣＣＥ（１，１７）、ＣＣＥ（１，１８）、ＣＣＥ（１，１９）、ＣＣＥ（１，２０）と番号付けが行なわれる。ここで、例えば、ＣＣＥ（Ｘ，Ｙ）におけるＸはサブバンドの番号、Ｙはサブバンド内における制御チャネルエレメントの番号を示す。
【０１８０】
続いて、サブバンド２の制御チャネルエレメントに対しても同様にＣＣＥ（２，１）〜ＣＣＥ（２，２０）と番号付けが行なわれる。引き続き同様にサブバンド３、サブバンド４、サブバンド５の制御チャネルエレメントに対しても番号付けが行なわれる。
【０１８１】
図１４を用いて一例を説明する。ＣＣＥ集合数が２個、移動局個別探索領域を構成する制御チャネルエレメントの数が１０個、制御チャネルエレメントの開始ポイントインデックスがＣＣＥ（２，１１）（サブバンド２に属する）の場合について説明する。
【０１８２】
基地局装置１は、移動局装置個別データを含むＣＣＥ集合数が２個で構成される４個の下りリンク制御チャネルの信号をＣＣＥ（２，１５）とＣＣＥ（２，１６）、ＣＣＥ（３，１１）とＣＣＥ（３，１２）、ＣＣＥ（３，１３）とＣＣＥ（３，１４）、ＣＣＥ（５，１５）とＣＣＥ（５，１６）の制御チャネルエレメントに多重する。
【０１８３】
基地局装置１は、サブバンド１で割り当てた下りリンク制御チャネルが０個、サブバンド２で割り当てた下りリンク制御チャネルが１個、サブバンド３で割り当てた下りリンク制御チャネルが２個、サブバンド４で割り当てた下りリンク制御チャネルが０個、サブバンド５で割り当てた下りリンク制御チャネルが１個を示す制御情報数インディケーターを生成する。基地局装置１は、制御情報数インディケーターをＣＣＥ（２，１３）とＣＣＥ（２，１４）の制御チャネルエレメントに多重する。
【０１８４】
移動局装置２は、移動局個別探索領域であるＣＣＥ（２，１１）、ＣＣＥ（２，１２）、ＣＣＥ（２，１３）、ＣＣＥ（２，１４）、ＣＣＥ（２，１５）、ＣＣＥ（２，１６）、ＣＣＥ（２，１７）、ＣＣＥ（２，１８）、ＣＣＥ（２，１９）、ＣＣＥ（２，２０）の２個毎の制御チャネルエレメントに対して制御情報数インディケーターの検出処理を行ない、ＣＣＥ（２，１３）とＣＣＥ（２，１４）の制御チャネルエレメントで制御情報数インディケーターを検出する。
【０１８５】
制御情報数インディケーターを検出した移動局装置２は、制御情報数インディケーターに含まれたサブバンド１で割り当てた下りリンク制御チャネルが０個、サブバンド２で割り当てた下りリンク制御チャネルが１個、サブバンド３で割り当てた下りリンク制御チャネルが２個、サブバンド４で割り当てた下りリンク制御チャネルが０個、サブバンド５で割り当てた下りリンク制御チャネルが１個を示す情報と、制御情報数インディケーターをＣＣＥ（２，１３）とＣＣＥ（２，１４）で検出したことと、移動局個別探索領域がＣＣＥ（２，１１）〜ＣＣＥ（２，２０）であることと、制御情報数インディケーターをＣＣＥ集合２で検出したことに基づき、下りリンク制御チャネルの復号の処理を行なう各サブバンドの制御チャネルエレメントを選択する。
【０１８６】
移動局装置２は、サブバンド２においてＣＣＥ（２，１５）〜ＣＣＥ（２，２０）、サブバンド３においてＣＣＥ（３，１１）〜ＣＣＥ（３，２０）、サブバンド５においてＣＣＥ（５，１１）〜ＣＣＥ（５，２０）の２個毎の制御チャネルエレメントの信号に対して下りリンク制御チャネルの復号の処理を行なう。
【０１８７】
移動局装置２は、制御情報数インディケーターを検出したサブバンドの制御チャネルエレメントの信号に対して下りリンク制御チャネル復号の処理を行なう場合、移動局個別探索領域内であり、制御情報数インディケーターを検出した制御チャネルエレメントの番号以降の制御チャネルエレメントの信号に対して下りリンク制御チャネルの復号の処理を行なう。
【０１８８】
移動局装置２は、制御情報数インディケーターを検出していないサブバンドの制御チャネルエレメントの信号に対して下りリンク制御チャネルの復号の処理を行なう場合、サブバンド内において制御チャネルエレメントの番号が移動局個別探索領域の制御チャネルエレメントと相対的に同じ制御チャネルエレメントの信号に対して下りリンク制御チャネルの復号の処理を行なう。
【０１８９】
移動局装置２は、サブバンド２のＣＣＥ（２，１５）とＣＣＥ（２，１６）の制御チャネルエレメントで自移動局装置２宛ての１個の下りリンク制御チャネルを、サブバンド３のＣＣＥ（３，１１）とＣＣＥ（３，１２）、ＣＣＥ（３，１３）とＣＣＥ（３，１４）の制御チャネルエレメントで自移動局装置２宛ての２個の下りリンク制御チャネルを、サブバンド５のＣＣＥ（５，１５）とＣＣＥ（５，１６）の制御チャネルエレメントで自移動局装置２宛ての１個の下りリンク制御チャネルを検出し、移動局装置個別データを取得する。
【０１９０】
移動局装置２は、各サブバンドで検出した下りリンク制御チャネルの個数と制御情報数インディケーターに示された各サブバンドに割り当てられた下りリンク制御チャネルの個数に基づき、サブバンド内において割り当てられた下りリンク制御チャネルの全てを検出した場合、そのサブバンド内において未だ下りリンク制御チャネルの復号検出の処理を行なっていない制御チャネルエレメントに対して下りリンク制御チャネルの復号の処理を行なうことを停止する。
【０１９１】
本発明に関わる移動局装置２および基地局装置１で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。
プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。
また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。
【０１９２】
以上、この発明の実施形態を、図面を参照して詳述してきたが、具体的な構成はこの実施形態に限られるものではなく、この発明の要旨を逸脱しない範囲の設計変更等も特許請求の範囲に含まれる。
【産業上の利用可能性】
【０１９３】
本発明の無線通信システムは、携帯電話などの移動体通信システムの移動局装置および基地局装置に、適用できる。
【符号の説明】
【０１９４】
１・・・基地局装置
２・・・移動局装置
１０・・・無線リソース制御部
１１・・・制御部
１２，１２ａ・・・送信処理部
１３・・・受信処理部
２０・・・制御部
２１，２１ａ・・・受信処理部
２２・・・送信処理部
２００・・・送信部
２０１・・・ＩＦＦＴ部
２０２・・・ＧＩ挿入部
２０３・・・Ｄ／Ａ部
２０４・・・送信ＲＦ部
２１０・・・下りリンク共有データチャネル処理部
２１１・・・ターボ符号部
２１２・・・データ変調部
２１３・・・共有データチャネルＳ／Ｐ部
２２０・・・下りリンク制御チャネル処理部
２２１・・・畳み込み符号部
２２２・・・ＱＰＳＫ変調部
２２３・・・制御チャネルＳ／Ｐ部
２３０・・・多重部
２４０・・・パイロットチャネル処理部
２５０・・・ＣＣＥ集合処理部
２６０，２６１・・・制御情報数インディケーター生成部
３００・・・受信部
３０１・・・受信ＲＦ部
３０２・・・Ａ／Ｄ部
３０３・・・シンボルタイミング検出部
３０４・・・ＧＩ除去部
３０５・・・ＦＦＴ部
３１０・・・制御チャネル復号部
３１１・・・ＣＣＥ選択部
３１２・・・ＱＰＳＫ復調部
３１３・・・ビタビデコーダ部
３１４・・・ＣＲＣ検査部
３２０・・・多重分離部
３３０・・・チャネル補償部
３４０・・・チャネル推定部
３５０・・・Ｐ／Ｓ部
３６０・・・チャネル補償部
３７０・・・ＣＣＥ再構成部
３８０・・・データ復調部
３９０・・・ターボ復号部
４００，４０１・・・制御情報数インディケーター検出部
４１０・・・開始ＣＣＥ選択部
【図１】
0005545666.tif 000002
【図２】
0005545666.tif 000003
【図３】
0005545666.tif 000004
【図４】
0005545666.tif 000005
【図５Ａ】
0005545666.tif 000006
【図５Ｂ】
0005545666.tif 000007
【図５Ｃ】
0005545666.tif 000008
【図５Ｄ】
0005545666.tif 000009
【図６】
0005545666.tif 000010
【図７】
0005545666.tif 000011
【図８】
0005545666.tif 000012
【図９】
0005545666.tif 000013
【図１０】
0005545666.tif 000014
【図１１】
0005545666.tif 000015
【図１２】
0005545666.tif 000016
【図１３】
0005545666.tif 000017
【図１４】
0005545666.tif 000018
【図１５】
0005545666.tif 000019
【図１６】
0005545666.tif 000020
【図１７】
0005545666.tif 000021